(57)【特許請求の範囲】
【請求項１】
複数の患者のためのシステムであって、それぞれの患者のための病院用ベッドから離れている電子医療記録（ＥＭＲ）を維持する電子医療記録（ＥＭＲ）システムを持つ医療施設で使用される病院用ベッドであって、
患者を保持するための患者保持構造、
前記患者保持構造に組み込まれ、前記患者保持構造によって保持される患者の第１のバイタルサインデータを代表する信号を出力するために操作可能な少なくとも一つのセンサー、
前記患者保持構造に連結されたグラフィカルユーザーインターフェース、および
前記少なくとも一つのセンサー、及び前記グラフィカルユーザーインターフェースに連結された制御回路を有し、
前記グラフィカルユーザーインターフェースは、前記患者保持構造によって保持される患者の電子医療記録（ＥＭＲ）にデータをカルテ記入するために介護者によって使用される入力を、少なくとも１つ表示し、
前記グラフィカルユーザーインターフェースは、少なくとも一つの他の装置から介護者によって読み出される患者の追加のバイタルサインデータを手入力するために介護者が使用する患者情報スクリーンを表示するために選択できるバイタルサインカルテ入力アイコンを表示し、
前記第１のバイタルサインデータは、前記患者情報スクリーン上に自動で用意されており、
前記手入力されたバイタルサインデータは、その後、少なくとも一つの入力の選択に応じた前記第１のバイタルサインデータと併せて、前記病院用ベッドから前記患者の電子医療記録（ＥＭＲ）にカルテ記入される
ことを特徴とする病院用ベッド。
【請求項２】
請求項１に記載の病院用ベッドであって、
患者のＥＭＲへのカルテ記入のために前記ＥＭＲシステムにデータを送る前に、前記制御回路が介護者の身分確認を必要とする
ことを特徴とする病院用ベッド。
【請求項３】
請求項２に記載の病院用ベッドであって、
前記少なくとも１つの入力が使用されることに対応して、介護者に個人識別番号（ＰＩＮ）を入力するよう要求するスクリーンを、前記制御回路がグラフィカルディスプレイスクリーンに表示し、かつ、
介護者によるＰＩＮの入力により、前記ＥＭＲシステムにデータを送る前に前記制御回路によって要求される前記身分確認を提供する
ことを特徴とする病院用ベッド。
【請求項４】
請求項２に記載の病院用ベッドであって、
前記制御回路に連結されたカードリーダーをさらに有し、
少なくとも１つの入力が使用されることに対応して、介護者が前記カードリーダーと身分証明（ＩＤ）カードを連動させることを、前記制御回路が要求し、かつ、
介護者が前記カードリーダーとＩＤカード連動させることにより、前記ＥＭＲシステムにデータを送る前に前記制御回路によって要求される前記身分確認を提供する
ことを特徴とする病院用ベッド。
【請求項５】
請求項２に記載の病院用ベッドであって、
前記制御回路に連結された無線タグリーダーをさらに有し、
少なくとも１つの入力が使用されることに対応して、介護者に割り当てられた無線タグが前記無線タグリーダーと通信しているかどうかを、前記制御回路が判断し、かつ、
前記無線タグと前記無線タグリーダーの間の通信により、前記ＥＭＲシステムにデータを送る前に前記制御回路によって要求される前記身分確認を提供する
ことを特徴とする病院用ベッド。
【請求項６】
請求項１に記載の病院用ベッドであって、
現在のベッドステータスデータであって介護者が患者のＥＭＲにカルテ記入するオプションを持つベッドステータスデータを表示するために選択することのできるベッドステータスカルテ記入アイコンを、前記グラフィカルユーザーインターフェースは、表示する
ことを特徴とする病院用ベッド。
【請求項７】
請求項６に記載の病院用ベッドであって、
前記ベッドステータスカルテ記入アイコンを選択することにより、
前記患者保持構造の頭部分の角度、
前記患者保持構造のキャスターブレーキがセットされているかどうか、
前記患者保持構造の上部フレームが患者保持構造のベースに対して低い位置にあるかどうか、
前記病院用ベッドの患者位置モニタリングシステムがセットされているかどうか、および
前記病院用ベッドのベッド頭部モニタリングシステムがセットされているかどうか、
これらのベッドステータスデータについて少なくとも１つが、前記グラフィカルユーザーインターフェース上に表示される
ことを特徴とする病院用ベッド。
【請求項８】
請求項６に記載の病院用ベッドであって、
前記グラフィカルユーザーインターフェースは、現在のベッドステータスデータを患者のＥＭＲに送るためにタッチするカルテボタンを表示する
ことを特徴とする病院用ベッド。
【請求項９】
請求項６に記載の病院用ベッドであって、
前記グラフィカルユーザーインターフェースはカルテボタンを表示し、かつ、
前記カルテボタンがタッチされた時に、前記グラフィカルユーザーインターフェースは、現在のベッドステータスデータが患者のＥＭＲにカルテ記入されるべきことを介護者が確認するために使用する確認スクリーンを表示する
ことを特徴とする病院用ベッド。
【請求項１０】
請求項６に記載の病院用ベッドであって、
前記グラフィカルユーザーインターフェースは、以前に患者のＥＭＲにカルテ記入されたベッドステータスデータの履歴を前記グラフィカルユーザーインターフェース上にグラフィックで示すためにタッチするグラフボタンを表示する
ことを特徴とする病院用ベッド。
【請求項１１】
請求項１に記載の病院用ベッドであって、
前記患者情報スクリーンは、
心拍数、呼吸数、血圧、パルス酸素濃度計数値、および、体温、
これらの患者のバイタルサインデータの少なくとも１つを入力するための欄を有する
ことを特徴とする病院用ベッド。
【請求項１２】
請求項１に記載の病院用ベッドであって、
前記グラフィカルユーザーインターフェースは、患者のバイタルサインデータを患者のＥＭＲに送るためにタッチするカルテボタンを表示する
ことを特徴とする病院用ベッド。
【請求項１３】
請求項１に記載の病院用ベッドであって、
前記グラフィカルユーザーインターフェースはカルテボタンを表示し、かつ、
前記カルテボタンがタッチされた時に、前記グラフィカルユーザーインターフェースは、患者のバイタルサインデータが患者のＥＭＲにカルテ記入されるべきことを介護者が確認するために使用する確認スクリーンを表示する
ことを特徴とする病院用ベッド。
【請求項１４】
請求項１に記載の病院用ベッドであって、
前記グラフィカルユーザーインターフェースは、以前に患者のＥＭＲにカルテ記入された患者のバイタルサインデータの履歴にアクセスするためにタッチする履歴ボタンを表示する
ことを特徴とする病院用ベッド。
【請求項１５】
請求項１に記載の病院用ベッドであって、
前記グラフィカルユーザーインターフェースは患者体重測定ボタンを表示し、かつ、
前記患者体重測定ボタンは、
前記患者保持構造上に保持された患者の体重を測定することを前記制御回路に命令するために、および、
カルテ記入アイコンであって、患者のＥＭＲへ患者の体重をカルテ記入することを開始するためにこれにタッチするオプションを介護者が持つカルテ記入アイコンを、表示するために
タッチされる
ことを特徴とする病院用ベッド。
【請求項１６】
請求項１に記載の病院用ベッドであって、
前記グラフィカルユーザーインターフェースは、活動スクリーンを表示するために選択できる患者活動アイコンを表示し、かつ、
前記活動スクリーンは、患者のＥＭＲへカルテ記入することを選択するオプションを介護者が持つ患者活動について、メニューを有する
ことを特徴とする病院用ベッド。
【請求項１７】
請求項１６に記載の病院用ベッドであって、
患者活動の前記メニューは、
患者が仰向けに寝ているかどうか、
患者が右側を下にして寝ているかどうか、
患者が左側を下にして寝ているかどうか、
患者が前記病院用ベッドから出て椅子に座っているかどうか、および、
患者を座位に保持するために前記患者保持構造が椅子位置に動かされたかどうか、
これらの活動の少なくとも１つを有する
ことを特徴とする病院用ベッド。
【請求項１８】
請求項１６に記載の病院用ベッドであって、
前記グラフィカルユーザーインターフェースは、患者活動のデータを患者のＥＭＲに送るためにタッチするカルテボタンを表示する
ことを特徴とする病院用ベッド。
【請求項１９】
請求項１６に記載の病院用ベッドであって、
前記グラフィカルユーザーインターフェースはカルテボタンを表示し、かつ、
前記カルテボタンがタッチされた時に、前記グラフィカルユーザーインターフェースは、患者活動のデータが患者のＥＭＲにカルテ記入されるべきことを介護者が確認するために使用する確認スクリーンを表示する
ことを特徴とする病院用ベッド。
【請求項２０】
請求項１６に記載の病院用ベッドであって、
前記グラフィカルユーザーインターフェースは、以前に患者のＥＭＲにカルテ記入された患者活動のデータの履歴を前記グラフィカルユーザーインターフェース上にグラフィックで示すためにタッチするグラフボタンを表示する
ことを特徴とする病院用ベッド。
【請求項２１】
請求項１に記載の病院用ベッドであって、
前記グラフィカルユーザーインターフェースは、
患者の薬剤アレルギーのリスト、
患者の食物アレルギーのリスト、
針刺しに関する禁忌、
患者の退出に関する禁忌、
患者の動きに関する禁忌、
ベッドの動きに関する禁忌、および、
医師の指示に反したベッドの動きが試みられたという警告メッセージ、
これらの少なくとも１つを表示するために使用される
ことを特徴とする病院用ベッド。
【請求項２２】
請求項１に記載の病院用ベッドであって、
前記グラフィカルユーザーインターフェースは、患者の摂取および排出に関する情報を表示するために使用される
ことを特徴とする病院用ベッド。
【請求項２３】
請求項２２に記載の病院用ベッドであって、
患者の摂取に関する前記情報は、
食事またはおやつで患者が食べた食物の量のパーセント、
患者が摂取した液体の量、
介護者が患者に提供した飲食への支援の程度、および、
患者が飲食した時間、
これらの少なくとも１つを含む
ことを特徴とする病院用ベッド。
【請求項２４】
請求項２２に記載の病院用ベッドであって、
患者の排出に関する前記情報は、
患者が排泄した尿量、
患者が排泄した便量、
患者が嘔吐した量、および、
患者の排泄が起こった時間
これらの少なくとも１つを含む
ことを特徴とする病院用ベッド。
【請求項２５】
請求項１に記載の病院用ベッドであって、
前記グラフィカルユーザーインターフェースは、巡回チェックリストを表示するために使用される
ことを特徴とする病院用ベッド。
【請求項２６】
請求項２５に記載の病院用ベッドであって、
前記巡回チェックリストは、介護者によって実施されるべき仕事または機能のリストを含む
ことを特徴とする病院用ベッド。
【請求項２７】
請求項２６に記載の病院用ベッドであって、
仕事または機能の前記リストは、
サイドレールを上げること、
ブレーキをセットすること、
病院用ベッドの上部フレームを最も低い位置にすること、
仰角３０°以上の位置に病院用ベッドの頭部分を上げること、
トイレへの経路に障害物がないことを確認すること、
常夜灯が点いていることを確認すること、
ベッド退出システムをセットすること、
患者の痛みのレベルを評価すること、
娯楽機器またはナースコールのコントロールが患者の手の届く範囲内にあることを確認すること、
患者のバイタルサインをチェックすること、
ＩＶポンプバッグまたは排液容器を交換または空にする必要があるかどうかをチェックすること、
患者の体位を変えること、
部屋の中につまずく危険性がないことを確認すること、
包帯をチェックまたは交換すること、
患者が飲料水を必要としているかどうかをチェックすること、および、
患者がトイレに行く必要があるかどうかをチェックすること、
これらを１つ以上含む
ことを特徴とする病院用ベッド。
【請求項２８】
請求項１に記載の病院用ベッドであって、
前記グラフィカルユーザーインターフェースは、手順リストを表示するために使用される。
ことを特徴とする病院用ベッド。
【請求項２９】
請求項２８に記載の病院用ベッドであって、
前記手順リストの各手順は、関連する手順のステップのリストを含む
ことを特徴とする病院用ベッド。
【請求項３０】
請求項２８に記載の病院用ベッドであって、
前記グラフィカルユーザーインターフェースは、手順の少なくとも一部を示すビデオクリップと当該グラフィカルユーザーインターフェースにおいてリンクするために使用される
ことを特徴とする病院用ベッド。
【請求項３１】
請求項１に記載の病院用ベッドであって、
前記グラフィカルユーザーインターフェースは、
ネットワーク接続性についての情報、および、
病院用ベッドと関連付けられる可能性の高い患者についての情報、
これらの少なくとも１つを示すために使用される
ことを特徴とする病院用ベッド。
【請求項３２】
請求項３１に記載の病院用ベッドであって、
前記グラフィカルユーザーインターフェース上に、患者と病院用ベッドの関連付けを介護者が承認するために選択するボタンまたはアイコンが設けられている
ことを特徴とする病院用ベッド。
【発明の詳細な説明】
【技術分野】
【０００１】
本開示は、病院用ベッドなどの患者保持装置に関連する。より具体的には、本開示は、データを閲覧しコマンドを入力するためのグラフィカルユーザーインターフェースを持つ患者保持装置に関連する。
【０００２】
グラフィカルユーザーインターフェースまたはディスプレイスクリーンを持つ患者保持装置は、当技術分野で知られている。病院用ベッドのグラフィカルユーザーインターフェースはアイコンを表示するタッチスクリーンであることが多く、これらは病院ベッドの機能を制御したり、またはベッドの機能および特徴に関する興味のある情報を介護者に表示するために使用される。例えば、「病院用ベッドのためのユーザーインターフェース」と題する米国特許出願公報２００８／０２３５８７２  Ａ１を参照のこと。また、「制御の改善された患者保持」と題する米国特許出願公報２００８／０１７２７８９  Ａ１も参照のこと。グラフィカルディスプレイ付き高性能ベッドは知られているが、病院用ベッドと医療施設の電子医療記録（ＥＭＲ）システムなど他のコンピュータシステムおよびアプリケーションの間の接続性を向上するニーズが根強く存在する。
【発明の概要】
【発明が解決しようとする課題】
【０００３】
本発明は、添付した請求項に詳説した特徴および／または単独または任意の組み合わせにより特許性のある主題を構成しうる下記の特徴のうち、１つ以上を含む。
【０００４】
病院用ベッドなどの患者保持装置は、電子医療記録（ＥＭＲ）システムを持つ可能性のある医療施設での使用のために提供され得る。病院用ベッドは、患者を保持する患者保持構造と、患者保持構造に連結されたグラフィカルユーザーインターフェースと、グラフィカルユーザーインターフェースに連結された制御回路とを含み得る。グラフィカルユーザーインターフェースは、患者保持構造によって保持される患者の電子医療記録（ＥＭＲ）にデータをカルテ記入するために介護者によって使用される入力を、少なくとも１つ表示することができる。
【０００５】
一部の実施形態では、患者のＥＭＲへのカルテ記入のためにＥＭＲシステムにデータを送る前に、制御回路が介護者の身分確認を必要とすることがある。介護者の身分確認を必要とすることに関連して、制御回路は、使用されている少なくとも１つの入力に対応して、介護者に個人識別番号（ＰＩＮ）の入力を要求するスクリーンを、グラフィカルディスプレイスクリーンに表示することができる。介護者によるＰＩＮの入力により、ＥＭＲシステムにデータを送る前に制御回路によって要求される身分確認を提供することができる。
【０００６】
この代わりにまたはこれに加えて、制御回路にカードリーダーを連結することができ、制御回路は、使用されている入力の少なくとも１つに対応して、介護者がカードリーダーと身分証明（ＩＤ）カードを連動させることを要求することができる。例えば、介護者は、ＩＤカードをスロットに挿入することにより、または、スロットにＩＤを通すことにより、カードリーダーを連動させることができる。いずれの場合においても、介護者がＩＤカードでカードリーダーを連動させることにより、ＥＭＲシステムにデータを送る前に制御回路によって要求される身分確認を提供することができる。ＩＤカードは、磁気ストリップを持つタイプのものであってよく、カードリーダーは例えば磁気カードリーダーであり得る。
【０００７】
さらにこの代わりにまたはこれに加えて、無線タグリーダーを制御回路に連結することができる。制御回路は、使用されている入力の少なくとも１つに対応して、介護者に割り当てられた無線タグが無線タグリーダーと通信しているかどうかを判断することができる。従って、無線タグと無線タグリーダーの間の通信により、ＥＭＲシステムにデータを送る前に制御回路が要求する身分確認を提供することができる。また、この開示によって代替策として意図されているのは、バイオメトリックセンサーを使用することであり、バイオメトリックセンサーは、この制御回路に連結されており、かつ、ＥＭＲシステムにデータを送る前に制御回路が要求する身分確認を提供する入力を受信する。このような実施形態では、バイオメトリックセンサーは、介護者の指紋（例えば、親指の指紋）を読み取ることによって、または介護者の網膜をスキャンすることによって、介護者を識別するために使用される指紋リーダーまたは網膜スキャナーを１つ以上有することができる。
【０００８】
一部の実施形態では、グラフィカルインターフェースは、介護者が患者のＥＭＲにカルテ記入するオプションを持つ現在のベッドのステータスデータを表示するために選択することのできる、ベッドステータスカルテ記入アイコンを表示し得る。ベッドステータスカルテ記入アイコンを選択すると、患者保持構造の頭部分の角度、患者保持構造のキャスターブレーキがセットされているかどうか、患者保持構造の上部フレームが患者保持構造のベースに対して低い位置にあるかどうか、病院用ベッドの患者位置モニタリングシステムがセットされているかどうか、および、病院用ベッドのベッド頭部モニタリングシステムがセットされているかどうか、これらのベッドステータスデータの少なくとも１つが、グラフィカルユーザーインターフェース上に表示され得る。グラフィカルユーザーインターフェースは、現在のベッドステータスを患者のＥＭＲに送るためにタッチすることができるカルテボタンを表示し得る。これの代わりにまたはこれに加えて、グラフィカルユーザーインターフェースはカルテボタンを表示でき、かつ、このボタンがタッチされた時に、グラフィカルユーザーインターフェースは、現在のベッドステータスデータが患者のＥＭＲにカルテ記入されるべきであることを介護者が確認するために使用し得る確認スクリーンを表示することとなる。グラフィカルユーザーインターフェースは、以前に患者のＥＭＲにカルテ記入されたベッドステータスデータの履歴にアクセスするためにタッチし得る履歴ボタンを表示し得る。
【０００９】
一部の実施形態では、患者のＥＭＲへのその後のカルテ記入として、介護者が患者のバイタルサインデータを入力するために使用し得る患者情報スクリーンについて、グラフィカルユーザーインターフェースは、この患者情報スクリーンを表示するために選択できるバイタルサインカルテ記入アイコンを表示し得る。患者情報スクリーンは、心拍数、呼吸数、血圧、パルス酸素濃度計数値、および、体温、これらの患者のバイタルサインデータの少なくとも１つを入力するための欄を含み得る。グラフィカルユーザーインターフェースは、患者のバイタルサインデータを患者のＥＭＲに送るためにタッチすることができるカルテボタンを表示し得る。これに代わりまたはこれに加えて、グラフィカルユーザーインターフェースはカルテボタンを表示でき、かつ、このボタンがタッチされた時に、グラフィカルユーザーインターフェースは、患者のバイタルサインデータが患者のＥＭＲにカルテ記入されるべきことを介護者が確認するために使用し得る確認スクリーンを表示することとなる。グラフィカルユーザーインターフェースは、以前に患者のＥＭＲにカルテ記入された患者のバイタルサインデータの履歴にアクセスするためにタッチする履歴ボタンを表示し得る。
【００１０】
一部の実施形態では、グラフィカルユーザーインターフェースは患者体重測定ボタンを表示でき、かつ、この患者体重測定ボタンは、これは患者保持構造上に保持された患者の体重を測定することを制御回路に命令するために、および、カルテ記入アイコンであって、患者のＥＭＲへの患者の体重のカルテ記入を開始するためにタッチするオプションを介護者が持つカルテ記入アイコンを、表示するためにタッチされ得る。履歴ボタンは、グラフィカルディスプレイスクリーン上に設けることができ、これは以前に患者のＥＭＲにカルテ記入された患者の体重の履歴にアクセスするために選択され得る。
【００１１】
一部の実施例では、グラフィカルユーザーインターフェースは、活動スクリーンを表示するために選択できる患者活動アイコンを表示でき、かつ、活動スクリーンは、患者のＥＭＲへのカルテ記入を選択するオプションを介護者が持つ患者活動について、メニューを有する。患者活動のメニューは、例えば、患者が仰向けに寝ているかどうか、患者が右側を下にして寝ているかどうか、患者が左側を下にして寝ているかどうか、患者が病院用ベッドから出て椅子に座っているかどうか、および、患者を座位に保持するために患者保持構造が椅子位置に動かされたかどうか、これらの活動の少なくとも１つを含み得る。グラフィカルユーザーインターフェースは、患者の活動データを患者のＥＭＲに送るためにタッチすることができるカルテボタンを表示し得る。これの代わりにまたはこれに加えて、グラフィカルユーザーインターフェースはカルテボタンを表示でき、かつ、このボタンがタッチされた時に、グラフィカルユーザーインターフェースは、患者活動のデータが患者のＥＭＲにカルテ記入されるべきことを介護者が確認するために使用し得る確認スクリーンを表示することとなる。グラフィカルユーザーインターフェースは、以前に患者のＥＭＲにカルテ記入された患者活動のデータの履歴にアクセスするためにタッチし得る履歴ボタンを表示し得る。
【００１２】
一部の実施形態では、グラフィカルユーザーインターフェースは、患者に対する禁忌を表示するために使用され得る。例えば、グラフィカルユーザーインターフェースは、患者の薬物アレルギーのリスト、患者の食物アレルギーのリスト、針刺しに関する禁忌、および、患者の退出に関する禁忌、これらの少なくとも１つを表示し得る。
【００１３】
これの代わりにまたはこれに加えて、グラフィカルユーザーインターフェースは、患者の摂取および排出に関する情報を表示するために使用され得る。患者の摂取に関する情報には、例えば、食事またはおやつで患者が食べた食物量のパーセント、患者が摂取した液体の量、介護者が患者に提供した飲食の際の支援の程度、および、患者が飲食した時間、これらの少なくとも１つを含み得る。患者の排出に関する情報には、患者が排泄した尿量、患者が排泄した便量、患者が嘔吐した量、および、患者の排泄が起こった時間、これらの少なくとも１つを含み得る。
【００１４】
一部の実施形態では、グラフィカルユーザーインターフェースは、例えば、介護者が実施する仕事または機能のリストを含む巡回チェックリストを表示するために使用される。仕事または機能のリストは、サイドレールを上げること、ブレーキをセットすること、病院用ベッドの上部フレームを最も低い位置にすること、仰角３０°以上の位置に病院用ベッドの頭部分を上げること、トイレへの経路に障害物がないことを確認すること、常夜灯が点いていることを確認すること、ベッド退出システムをセットすること、患者の痛みのレベルを評価すること、娯楽機器またはナースコールのコントロールが患者の手の届く範囲内にあることを確認すること、患者のバイタルサインをチェックすること、ＩＶポンプバッグまたは排液容器を交換または空にする必要があるかどうかをチェックすること、患者の体位を変えること、部屋の中につまずく危険性がないことを確認すること、包帯をチェックまたは交換すること、患者が飲料水を必要としているかどうかをチェックすること、および患者がトイレに行く必要があるかどうかをチェックすること、これらの１つ以上含み得る。
【００１５】
一部の実施形態では、グラフィカルユーザーインターフェースは手順リストを表示するために使用され、各手順は関連する手順のステップのリストを含み得る。一部の意図された実施形態では、グラフィカルユーザーインターフェースは、手順の少なくとも一部を示すビデオクリップとグラフィカルユーザーインターフェースにおいてリンクするために使用される。例えば、手順の各ステップのビデオクリップは、グラフィカルユーザーインターフェース上に表示され得る。
【００１６】
本開示にしたがって、グラフィカルユーザーインターフェースは、ネットワーク接続性についての情報および／または病院用ベッドと関連付けられる可能性の高い患者についての情報を示すために使用される。このような実施形態では、ボタンまたはアイコンを、介護者が患者と病院用ベッドの関係を選択するために、グラフィカルユーザーインターフェース上に設けることができる。
【００１７】
追加的な特徴は、上記に列挙したものおよび／または請求項に列挙したものを含めて、単独または他の任意の特徴と組み合わせて、特許性のある主題を構成すると考えられ、当業者にとっては、現時点で理解されている発明を遂行する最良の態様の模範例を示す例証となる実施態様の下記の詳細な説明を考察することにより明らかとなる。
【００１８】
詳細な説明は特に添付した以下の図を参照する。
【図面の簡単な説明】
【００１９】
【図１】図１は、病院用ベッドのサイドレールに連結されたグラフィカルユーザーインターフェースまたはディスプレイスクリーンを持つ病院用ベッドの斜視図である。
【図２】図２は、ＥＭＲシステムのリモートコンピューターと通信中の病院用ベッドの電気回路を示したブロック図である。
【図３】図３は、デフォルトスクリーンとしてグラフィカルユーザーインターフェース上に表示されるメインメニュースクリーンの例である。
【図４】図４は、ユーザーがＥＭＲシステムにデータをカルテ記入することを許可された人物としての自分の身分を確認できるように、ユーザーがカルテ記入タブにタッチすることに対応してグラフィカルユーザーインターフェース上に表示されるログインスクリーンのスクリーンショットである。
【図５】図５は、ユーザーがログインスクリーンを使って自分の身分の確認に成功した後にグラフィカルユーザーインターフェース上に表示されるカルテ記入ホームスクリーンの例であり、ログインスクリーンは患者、患者の担当医および担当看護師、患者のベッドのベッドシリアル番号、および患者の部屋割りに関する情報を有し、ログインスクリーンではスクリーンショットの右側にベッドステータス、患者情報および活動アイコンがある。
【図６】図６は、カルテ記入ホームスクリーン上のベッドステータスアイコンにタッチすることに対応してグラフィカルユーザーインターフェース上に表示されるベッドステータススクリーンの第一の例であり、第一の例では、患者のベッドの頭部分の角度は閾値角度より大きく、ベッドの上部フレームはベッドのベースに対して低い位置にある。
【図７】図７は、ベッドステータスアイコンにタッチすることに対応してグラフィカルユーザーインターフェース上に表示されるベッドステータススクリーンの第二の例であり、第二の例では、患者のベッドの頭部分の角度は閾値角度より小さいため角度警告アイコンは黄色に色分けされて警告状態を示しており、ベッドの上部フレームはベッドのベースに対して低い位置にはないため低アイコンが黄色に色分けされて警告状態を示している。
【図８】図８は、ベッドステータスアイコンにタッチすることに対応してグラフィカルユーザーインターフェース上に表示されるベッドステータススクリーンの第三の例であり、第三の例では、スクリーンの左側に表示されている退出モードアイコンで示されるように、ベッドの患者位置モニタリング（ＰＰＭ）システムは退出モードにセットされている。
【図９】図９は、ベッドステータスアイコンにタッチすることに対応してグラフィカルユーザーインターフェース上に表示されるベッドステータススクリーンの第四の例であり、第四の例では、スクリーンの左側に表示されているベッド外モードアイコンで示されるように、ベッドの患者位置モニタリング（ＰＰＭ）システムはベッド外モードにセットされている。
【図１０】図１０は、ベッドステータスアイコンにタッチすることに対応してグラフィカルユーザーインターフェース上に表示されるベッドステータススクリーンの第五の例であり、第五の例では、スクリーンの左側に表示されている患者位置モードアイコンで示されるように、ベッドのＰＰＭシステムは患者位置モードにセットされている。
【図１１】図１１は、ベッドステータススクリーン上のカルテボタンまたは欄にタッチすることに対応してグラフィカルユーザーインターフェース上に表示される、カルテ記入確認ポップアップウィンドウである。
【図１２】図１２は、カルテ記入確認ポップアップウィンドウ上の「はい」ボタンまたは欄を選択したことに対応してグラフィカルユーザーインターフェース上に表示される、ベッドステータス履歴スクリーンの例であり、ベッドステータス履歴スクリーンは、特定の患者に対してＥＭＲシステムにカルテ記入されたベッドステータスをスクロールするために選択する左右のスクロール矢印を有す。
【図１３】図１３は、カルテ記入ホームスクリーン上の患者情報アイコンにタッチすることに対応してグラフィカルユーザーインターフェース上に表示される患者情報スクリーンであり、患者情報スクリーンは、心拍数、血圧、体温、パルス酸素計数値および呼吸数に関する患者情報のその後の手入力に対して選択可能な多くの疑問符を有する。
【図１４】図１４は、心拍数に対する疑問符をタッチした後の患者情報の例である。疑問符は、デフォルトの心拍数と、または、ＥＭＲシステムもしくは病院用ベッドの回路に保存された前回の心拍数と置き換えられる。心拍数情報を手動で変更するためにＯＫ、プラス、マイナスボタンまたは欄が表示されている。
【図１５】図１５は、ＯＫボタンがタッチされたまたは押された状態の患者情報スクリーンの例である。
【図１６】図１６は、ＯＫボタンが放された後の患者情報スクリーンの例であり、ＯＫ欄を押して放すことに対応して、日付スタンプおよび時間スタンプが患者情報スクリーンの心拍数情報の近くに表示される。
【図１７】図１７は、プラスボタンがタッチされたまたは押された状態の患者情報スクリーンの例である。
【図１８】図１８は、プラスボタンが放された後の患者情報スクリーンの例であり、プラス欄を押して放すことに対応して、心拍数情報が１分あたり１回増加している。
【図１９】図１９は、それまで図１３の疑問符があった利用できる欄すべてに患者情報を手入力した後の、患者情報スクリーンの例である。
【図２０】図２０は、図１９に示されるカルテボタンを押し、図１１に示されるものと同一のカルテ記入確認ポップアップウィンドウの「はい」ボタンを押した後の、グラフィカルユーザーインターフェース上に表示される患者情報履歴スクリーンの例であり、患者情報履歴スクリーンは、特定の患者に対してＥＭＲシステムにカルテ記入された患者情報をスクロールするために選択する左右のスクロール矢印を有する。
【図２１】図２１は、患者情報履歴スクリーン上でグラフボタンにタッチした後にグラフィカルユーザーインターフェース上に表示される患者情報履歴グラフスクリーンの例であり、患者情報履歴グラフスクリーンは、異なる時間にＥＭＲシステムに保存された患者データをグラフで表示している。
【図２２】図２２は、カルテ記入ホームスクリーン上で活動アイコンをタッチすることに対応して、グラフィカルユーザーインターフェース上に表示される活動スクリーンの例であり、活動スクリーンは入力追加ボタンを有する。
【図２３】図２３は、入力追加ボタンにタッチすることに対応して、グラフィカルユーザーインターフェース上に表示される活動追加入力スクリーンの例であり、活動追加入力スクリーンは、仰向け、右側、左側、室内の椅子、および椅子モードのベッドの欄またはボタンを含む活動メニューを有する。
【図２４】図２４は、活動追加入力スクリーンの仰向け欄にタッチすることに対応して、グラフィカルユーザーインターフェース上に表示される仰向け活動スクリーンの例であり、仰向け活動スクリーンは「患者が仰向けになった」という文字を含む欄および「ｘ」アイコンを有する。
【図２５】図２５は、仰向け活動スクリーン上の「ｘ」アイコンにタッチすることに対応してグラフィカルユーザーインターフェース上に表示される活動削除入力スクリーンの例であり、活動削除入力スクリーンは、活動を削除すべきかどうかによって選択される「はい」および「いいえ」の欄またはボタンを有する。
【図２６】図２６は、図２４の仰向け活動スクリーン上でカルテボタンにタッチした後に、かつ、表示されたカルテ記入確認ポップアップウィンドウ上の「はい」ボタンにタッチした後、かつ、図２２の活動スクリーン上で履歴閲覧ボタンまたは欄にタッチした後に、グラフィカルユーザーインターフェース上に表示される活動履歴閲覧スクリーンの例である。
【図２７】図２７は、ユーザーがスケールタブにタッチすることに対応してグラフィカルユーザーインターフェース上に表示されるスケールスクリーンの例である。
【図２８】図２８は、ユーザーが図２７のスケールスクリーン上の患者体重測定ボタンまたは欄にタッチした後、閾値時間に対してグラフィカルユーザーインターフェース上に表示されるスケール解放スクリーンである。
【図２９】図２９は、病院用ベッドのスケールシステムが患者の体重を測定する間、グラフィカルユーザーインターフェース上に表示されるスケール体重測定スクリーンの例である。
【図３０】図３０は、患者の体重を測定した後、グラフィカルユーザーインターフェース上に表示されるスケール承認スクリーンの例であり、患者の体重がスケール承認スクリーン上に表示されている。
【図３１】図３１は、スケール黄色スクリーンの例であり、これは、病院用ベッドのＥＭＲ自動送信機能が有効化されている場合は、図３０のスケール承認スクリーン上の承認ボタンを押した後にグラフィカルユーザーインターフェース上に表示され、また、ＥＭＲ自動送信機能が無効化されている場合は、承認ボタンを押した後であって、表示されたカルテ記入確認ポップアップウィンドウ上で「はい」ボタンにタッチした後に、グラフィカルユーザーインターフェース上に表示される。このスケール黄色スクリーンは、患者のＥＭＲにその情報がカルテ記入されていることを示すために黄色にハイライトされた多くの欄を有する。
【図３２】図３２は、スケール黄色スクリーンの黄色のハイライトが薄くなる閾値時間の経過後、グラフィカルユーザーインターフェース上に表示されるスケール最終スクリーンの例である。
【図３３】図３３は、病院用ベッドの自動送信機能が無効化されている場合、ツールタブにタッチすることに対応してグラフィカルユーザーインターフェース上に表示されるツール自動送信無効スクリーンである。
【図３４】図３４は、図３３のツール自動送信無効スクリーン上で自動送信機能に関連する変更ボタンまたは欄にタッチすることに対応して、グラフィカルユーザーインターフェース上に表示される「ツール自動送信を有効にスイッチ」スクリーンであり、図３３のツール自動送信無効スクリーンの変更ボタンにタッチした後、無効欄が有効欄に変更され黄色にハイライトされている。
【図３５】図３５は、有効欄の黄色のハイライトが薄くなる閾値時間の経過後、グラフィカルユーザーインターフェース上に表示されるツール自動送信有効スクリーンの例である。
【図３６】図３６は、図３５のツール自動送信有効スクリーン上で自動送信機能に関連する変更ボタンまたは欄にタッチすることに対応して、グラフィカルユーザーインターフェース上に表示される「ツール自動送信を無効  にスイッチ」スクリーンであり、図３５のツール自動送信有効スクリーンの変更ボタンにタッチした後、有効欄が無効欄に戻り黄色にハイライトされている。
【図３７】図３７は、表面タブを選択することに対応して、グラフィカルユーザーインターフェース上に表示される表面スクリーンであり、表面スクリーンは病院用ベッドのマットレスのさまざまな機能を制御するためにタッチするユーザー入力を有する。
【図３８】図３８は、表面スクリーンの任意のユーザー入力にタッチすることに対応して、グラフィカルユーザーインターフェース上に表示される「データをＥＭＲにカルテ記入」スクリーンである。
【図３９】図３９は、表面スクリーン上で「右に回転」をタッチした後に、ＰＩＮを入力し「データをＥＭＲにカルテ記入」スクリーン上でＯＫボタンをタッチすることに対応して、グラフィカルユーザーインターフェース上に表示される第一の「患者を右に回転」スクリーンであり、第一の「患者を右に回転」スクリーンはデータがカルテ記入のためにＥＭＲに送信されたことを確認する文字列を有する。
【図４０】図４０は、表面スクリーン上で「右に回転」ボタンにタッチした後に、「データをＥＭＲにカルテ記入」スクリーン上でキャンセルボタンをタッチすることに対応して、グラフィカルユーザーインターフェース上に表示される第二の「患者を右に回転」スクリーンである。
【図４１】図４１は、グラフィカルユーザーインターフェース上に表示される患者禁忌スクリーンであり、患者の薬物および食物アレルギーのリストを示し、患者は左腕の針刺しが禁忌であることを示し、その患者に対するその他の禁忌を示している。
【図４２】図４２はグラフィカルユーザーインターフェース上に表示される「摂取／排出のカルテ記入」スクリーンであり、患者が異なる時間に摂取した食物と飲物についての情報を示す摂取表、および患者の排出についての情報を持つ排出表を示している。
【図４３】図４３は、図４４〜４８のスクリーンをナビゲートするために選択するアイコンまたはボタンを示す雑機能スクリーンである。
【図４４】図４４は、雑機能スクリーンの巡回チェックリストアイコンの選択に対応して、グラフィカルユーザーインターフェース上に表示される巡回チェックリストスクリーンであり、巡回チェックリストスクリーンは、関連する患者に関して介護者が実施する仕事または機能のリストを有する。
【図４５】図４５は、雑機能スクリーン上での手順アイコンの選択に対応してグラフィカルユーザーインターフェース上に表示される手順スクリーンであり、手順スクリーンは、手順のステップのリストを閲覧するために選択できる多くの手順タブ、および手順の関連ステップのビデオを閲覧するために選択できるビデオリンクボタンまたはアイコン一式を有する。
【図４６】図４６は、雑機能スクリーン上でのサービスアイコンの選択に対応してグラフィカルユーザーインターフェース上に表示されるサービススクリーンであり、サービススクリーンは、その医療環境で利用可能な他のサービスに関連するサービスボタンまたはアイコン一式を有する。
【図４７】図４７は、雑機能スクリーン上でのＥＭＲダッシュボードアイコンの選択に対応してグラフィカルユーザーインターフェース上に表示されるチャートスクリーンであり、チャートスクリーンは患者の電子医療記録で利用可能なさまざまなデータセットを見るために選択できる関連チャートボタンまたはアイコン一式を有する。
【図４８】図４８は、雑機能スクリーン上でのネットワーク／患者関連アイコンの選択に対応してグラフィカルユーザーインターフェース上に表示されるネットワーク／患者関連スクリーンであり、ネットワーク／患者関連スクリーンは、ネットワーク接続性についての情報を提供する文字の第一のブロックおよび対応するベッドと関連付けられるべき患者についての情報を提供する文字の第二のブロックを有する。
【発明を実施するための形態】
【００２０】
＝＝関連出願に対する相互参照＝＝
本出願は、合衆国法典第３５編第１１９条（ｅ）項（３５  Ｕ．Ｓ．Ｃ．  §  １１９（ｅ））に基づき、米国特許仮出願番号第６１／３９１，２６１号（２０１０年１０月８日出願）の利益を主張するものであり、ここに参照により本明細書に組み込む。
【００２１】
図１に示されるように、例証的病院用ベッド１０などの患者保持装置は、表面を保持するフレーム２０またはマットレス２２などの患者保持構造を含む。従来技術のベッドと比較して、ベッド１０は、担当者によるベッドとは分離したまたは離れた場所にあるコンピューターでのその後の確認行為を必要せずに、ベッド１０に入力されたコマンドを介して情報またはデータを患者のＥＭＲにカルテ記入することを可能にする電子医療記録（ＥＭＲ）カルテ記入能力を含む。図３〜４０に示されるスクリーンは、ベッド１０から患者のＥＭＲへのデータの入力に関連する。図１および２は、ＥＭＲカルテ記入能力を持つ１つの可能なベッド１０の詳細の一部を示す。しかし、この開示は、他のタイプのベッド、手術台、検査台、ストレッチャーなどを含む他のタイプの患者保持装置に適用できる。
【００２２】
図１を参照すると、ベッド１０は、ベース２８を含むフレーム２０と、上部フレーム組立品３０と、および、上部フレーム組立品３０をベース２８に連結するリフトシステム３２とを有する。リフトシステム３２は、ベース２８に対して上部フレーム組立品３０を上昇、下降、および傾斜させる働きをする。ベッド１０は、頭側端部２４および足側端部２６を持つ。病院用ベッド１０はさらに、足側端部２６にフットボード４５および頭側端部２４にヘッドボード４６を含む。例証的ベッド１０は、その頭側端部２４に、ベース２８の直立部分２７に連結された一対の押しハンドル４７を含む。ヘッドボード４６も、ベースの直立部分２７に連結されている。フットボード４５は上部フレーム組立品３０に連結されている。ベース２８は、ベッド１０がある場所から別の場所に移動する際、床（非表示）に沿って回転する車輪またはキャスター２９を含む。一式の足ペダル３１は、ベース３１に連結されており、キャスター２９にブレーキをかけたりリリースしたりするために使用される。
【００２３】
図１に示されるように、例証的病院用ベッド１０は、上部フレーム組立品３０に連結された４つのサイドレール組立品を有する。４つのサイドレール組立品は、一対の頭部サイドレール組立品４８（時にヘッドレールと呼ばれる）および一対の足部サイドレール組立品５０（時にフットレールと呼ばれる）を含む。サイドレール組立品４８および５０のそれぞれは、上昇位置（図１に表示）と下降位置（非表示）の間で動かすことができる。サイドレール組立品４８、５０は、本明細書では時にサイドレール４８、５０と呼ばれる。各サイドレール４８、５０は、バリアパネル５４およびリンク５６を含む。各リンク５６は上部フレーム組立品３０に連結されており、サイドレール４８、５０がそれぞれ上昇および下降位置の間で動く際、バリアパネル５４をガイドするように構成されている。バリアパネル５４は、サイドレール４８、５０がそれぞれ上昇および下降位置の間で動く際、リンク５６によって実質的に垂直方向に維持される。
【００２４】
上部フレーム組立品３０は、リフトフレーム３４と、リフトフレーム３４に対して保持された体重測定フレーム３６と、患者保持デッキ３８とを含む。患者保持デッキ３８は体重測定フレーム３６で支えられており、マットレス２２の下部表面と連動する。図１に示されるように、また図２に図式的に示されるように、例証的実例では、患者保持デッキ３８は、頭部分４０、シート部分４２、大腿部分４３および足部分４４を含む。部分４０、４３、４４はそれぞれ体重測定フレーム３６に対して移動できる。例えば、頭部分４０は、シート部分４２に対して、枢動可能に上昇および下降するが、足部分４４は大腿部分４３に対して枢動可能に上昇および下降する。さらに、大腿部分４３はシート部分４２に対して連接する。また、一部の実施形態では、足部分４４は、足部分４４の全体の長さを変えるため、従ってデッキ３８の全体の長さを変えるために、伸長・格納可能である。例えば、図２に図式的に示されるように一部の実施例では、足部分４４は、主要部分４５および伸長部分４７を含む。
【００２５】
例証的実施形態では、患者保持デッキ３８が、例えば患者を仰臥位に保持するための水平位置（図１に表示）と患者を座位に保持するための椅子位置（非表示）を含むさまざまな患者保持位置の間で動く際、シート部分４２は、体重測定フレーム３６に対して位置が固定されている。他の実施形態では、シート部分４２も、枢動および／または平行移動などによって、体重測定フレーム３６に対して動く。シート部分４２が上部フレーム４２に沿って平行移動するこれらの実施形態では、大腿および足部分４３、４４もシート部分４２と共に平行移動することは言うまでもない。ベッド１０がベッド位置から椅子位置に動く際、足部分４４は大腿部分４３に対して下降し、主要部分４５に対する伸長部分４７の格納のために長さが短くなる。ベッド１０が椅子位置からベッド位置に動く際、足部分４４は大腿部分４３に対して上昇し、主要部分４５に対する伸長部分の伸長のために長さが長くなる。従って、椅子位置では、頭部分４０は体重測定フレーム３６から上方に伸び、足部分は大腿部分４３から下方に伸びる。
【００２６】
図２に図式的に示されるように、ベッド１０は、頭部分４０に連結された頭部モーターまたはアクチュエータ９０と、大腿部分４３に連結された膝部モーターまたはアクチュエータ９２と、足部分４４に連結された足部モーターまたはアクチュエータ９４と、足伸長部分４７に連結された足伸長部分モーターまたはアクチュエータ９６とを含む。モーター９０、９２、９４、９６は、例えば線形アクチュエータの電気モーターを含み得る。前述のように、シート部分４２が上部フレーム３０に沿って平行移動するこれらの実施形態では、シートモーターまたはアクチュエータ（非表示）も設けられている。頭部モーター９０は、頭部分４０を上昇・下降させる働きをする。膝部モーター９２は、大腿部分４３をシート部分４２に対して連接する働きをする。足部モーター９４は、足部分４４を大腿部分４３に対して上昇・下降させる働きをする。足伸長部分モーター９６は、足部分４４の伸長部分４７を足部分４４の主要部分４４に対して伸長・格納する働きをする。
【００２７】
一部の実施形態では、ベッド１０は、マットレス２２のさまざまな空気袋またはセル（一部は図３７、３９、４０にアイコンとして図式的に表示されている）の膨張・収縮を制御する空気圧システム７２  を含む。空気圧システム７２は図２に単一ブロックとして表されている。しかしながら、ブロック７２は１つ以上の空気源（例えば、扇風機、ブロアー、圧縮機）、および、関連するバルブ、空気経路、空気ラインまたはチューブ、圧力センサーなどを表すことを意図しており、さらに、マットレスの空気袋を膨張・収縮するために一般的に空気圧システムに含まれる関連する電気回路を表すことを意図している。
【００２８】
また図２に図式的に示されるように、ベッド１０のリフトシステム３２は、１つ以上の上昇システムモーターまたはアクチュエータ７０を含み、これは一部の実施形態では、電気モーターを持つ線形アクチュエータを含む。従って、アクチュエータ７０は本明細書では時にモーター７０と呼ばれる。本開示で意図される代替的なアクチュエータまたはモーターには、例えば油圧シリンダーおよび空気圧シリンダーを含む。リフトシステム３２のモーター７０は、ベース２８に対して上部フレーム組立品３０を上昇、下降、および傾斜させる働きをする。例証的実施形態では、上部フレーム３０をベース２８に対して上昇、下降、傾斜させる機能を達成するために、モーター７０の１つは頭側端部リフトアーム７８一式に連結され、これに作用し、もう１つのモーター７０は足側端部リフトアーム８０一式に連結され、これに作用する。図１に示されるように、例証的実例ではガイドリンク８１はベース２８およびリフトアーム８０に連結している。ベッド１０のリフトシステムは、Ｈｉｌｌ−Ｒｏｍ  Ｃｏｍｐａｎｙ，Ｉｎｃ．から入手可能なＶＥＲＳＡＣＡＲＥ（登録商標）のリフトシステムとかなり類似している。ベッド１０の他の側面も、ＶＥＲＳＡＣＡＲＥ（登録商標）ベッドとかなり類似しており、米国特許番号６，６５８，６８０、６，６１１，９７９、６，６９１，３４６、６，９５７，４６１、７，２９６，３１２にさらに詳述されており、それぞれが参照によって明示的に本明細書に組み込まれる。
【００２９】
例証的実例では、図１に示されるように、ベッド１０はベース２８に連結された４つの足ペダル８４ａ、８４ｂ、８４ｃ、８４ｄを持つ。足ペダル８４ａは、ベース２８に対して上部フレーム組立品３０を上昇させるために使用され、足ペダル８４ｂはベース２８に対して上部フレーム組立品３０を下降させるために使用され、足ペダル８４ｃはフレーム３６に対して頭部分４０を上昇させるために使用され、足ペダル８４ｄはフレーム３６に対して頭部分４０を下降させるために使用される。他の実施形態では、足ペダル８４ａ−ｄは省かれている。
【００３０】
サイドレール４８はそれぞれ、関連するバリアパネル５４の外側に連結された第一のユーザー制御パネル６６を含む。サイドレール５０はそれぞれ、関連するバリアパネル５４の外側に連結された第二のユーザー制御パネル６７を含む。制御パネル６６、６７は、介護者（非表示）がベッド１０の関連機能を制御するために使用するさまざまなボタンを含む。例えば、制御パネル６６は、頭部分４０を上昇・下降させるために頭部モーター９０を操作するのに使用するボタンと、大腿部分を上昇・下降させるために膝部モーターを操作するのに使用するボタンと、上部フレーム組立品３０をベース２８に対して上昇、下降、傾斜させるためにモーター７０を操作するのに使用するボタンとを含む。例証的実施形態では、制御パネル６７は、足部分４４を上昇・下降させるためにモーター９４を操作するのに使用するボタンと、足伸長部分４７を主要部分４５に対して伸長・格納するためにモーター９６を操作するのに使用するボタンとを含む。一部の実施形態では、制御パネル６６、６７のボタンは薄膜スイッチを含む。
【００３１】
図２に図式的に示されるように、ベッド１０は、モーター９０、９２、９４、９６、およびリフトシステム３２のモーター７０に電気的に連結された制御回路９８を含む。図６では制御回路９８は単一ブロック９８として図式的に表されているが、一部の実施形態の制御回路９８は、電気的および通信的に相互接続されたさまざまな回路基板、電子モジュールなどを含む。制御回路９８は、本明細書に記述のさまざまな制御機能およびアルゴリズムをソフトウェアに実行させるマイクロプロセッサ１７２またはマイクロコントローラを１つ以上を含む。従って、本技術分野でよく知られているように、回路９８は、ソフトウェア、変数、計算値などを保存するためのメモリー１７４も含む。
【００３２】
また図２に図式的に示されるように、ユーザー入力ブロックは、制御パネル６６、６７のボタンおよびペダル８４ａ−ｄなどのさまざまなユーザー入力を表し、これらは例えば、介護者または患者が入力信号をベッド１０の制御回路９８に通信して、ベッド１０のさまざまなモーター７０、９０、９２、９４、９６の作動を命令し、ベッド１０の他の機能の作動を命令するために使用される。図１に示されるように、ベッド１０は、それぞれのサイドレール４８に連結されたグラフィカルユーザー入力またはディスプレイスクリーン１４２の少なくとも１つを含む。図２に図式的に示されるように、ディスプレイスクリーン１４２は制御回路１４２に連結されている。一部の実施形態では、２つのグラフィカルユーザーインターフェース１４２が提供され、それぞれサイドレール４８に連結されている。別の方法または追加的な方法として、１つ以上のグラフィカルユーザーインターフェースが、サイドレール５０に連結されており、かつ／または、ヘッドボード４６およびフットボード４５の１つまたは両方に連結されている。制御回路９８は、ユーザー入力コマンドをグラフィカルディスプレイスクリーン１４２から受信するが、これは図３〜４０に関して下記でさらに詳述される。
【００３３】
本開示によると、図２に図式的に示されるように、ベッド１０の制御回路９８は、ベッド１０が配置されている医療施設が有するイーサネットなどの通信インフラ１７８を介して、および通信リンク１７７、１７９を介して、リモートコンピューター装置１７６と通信する。本明細書では、コンピューター装置１７６は時には単に「コンピューター」と呼ばれる。リモートコンピューター１７６は、本開示による電子医療記録（ＥＭＲ）システムの一部である。しかし、ベッド１０の回路９８が、ナースコールシステム、医師の指示システム、入院／退院／移送（ＡＤＴ）システム、または他の実施形態の医療施設で使用されるいくつかの他のシステムの一部として含まれるような他のコンピューターと通信することは、本開示の範囲内である。図２のイーサネット１７８は図式的に示されており、医療施設のネットワークを構成するハードウェアおよびソフトウェアのすべてを表すことを意図している。
【００３４】
例証的実例では、ベッド１０は、インフラ１７８のリンク１７９を介して双方向通信を提供し、リンク１７７を介してコンピューター１７６と双方向通信する通信インターフェースまたはポート１８０を有する。リンク１７９は、一部の実施形態では有線通信リンクであり、他の実施形態では無線通信リンクである。従って、一部の実施形態では通信リンク１７９は、米国特許番号７，５３８，６５９と７，３１９，３８６、および米国特許出願公報番号２００９／０２１７０８０  Ａ１、２００９／０２１２９２５  Ａ１、２００９／０２１２９２６  Ａ１（これらのそれぞれは参照によって本明細書に明示的に組み込まれる）に表示・記述されているタイプのベッドインターフェースユニット（ＢＩＵ）またはネットワークインターフェースユニット（ＮＩＵ）の一部として含まれる壁面コンセントにベッド１０を接続するケーブルを含む。他の実施形態では、通信リンク１７９は、米国特許出願公報番号２００７／０２１０９１７  Ａ１（これは参照によって本明細書に明示的に組み込まれる）に表示・記述されているタイプの無線インターフェースユニットとベッド１０の間の無線信号を含む。本開示によると、通信リンク１７７は、１つ以上の有線リンクおよび／または無線リンクも含む。
【００３５】
上述のように、ベッド１０は、リモートコンピューターの担当者によるその後の確認行為を必要とすることなく、ベッド１０に入力されたコマンドを介して情報を患者のＥＭＲにカルテ記入できるような、ＥＭＲカルテ記入能力を有する。本開示で意図された一部の実施形態では、データを患者のＥＭＲに入力する前に、ＥＭＲシステムコンピューター１７６でその後の確認を行う必要がある場合がある。しかし、同じまたは異なる介護者によるリモートコンピューター１７６でのその後の行為を必要とせずに、ベッド１０での介護者の行為を介して情報が患者のＥＭＲにカルテ記入または保存されるシステムは、より効率的であると見られている。
【００３６】
以後の図３〜４０の説明では、グラフィカルユーザーインターフェース１４２上に表示されるスクリーンを検討する。これらのスクリーンのそれぞれに関連するイメージおよび機能は、図２に図式的に示されるメモリー１７４などのメモリーに保存されているソフトウェアによって制御され、図２に図式的に示されるマイクロプロセッサ１７２などのマイクロプロセッサまたはマイクロコントローラによって実行される。一部の実施では、複数のマイクロプロセッサまたはマイクロコントローラおよび複数のメモリー装置が、グラフィカルユーザーインターフェース１４２上のさまざまなスクリーンの表示、およびこれらのスクリーンと関連するさまざまな機能の実行に関連して使用される。例えば、一部の実施形態では、グラフィカルユーザーインターフェース１４２はそれ自身のディスプレイドライバー回路を有し、この回路はそれ自身のマイクロプロセッサまたはマイクロコントローラおよびそれ自身のメモリーを含む。従って、一部の実施形態ではソフトウェアは複数のメモリーロケーションに保存され、関連マイクロプロセッサまたはマイクロコントローラによって実行され、以下に記述の全体的機能性を果たす。
【００３７】
図３を参照すると、デフォルトスクリーンとしてグラフィカルユーザーインターフェース１４２上に表示されるメインメニュースクリーン２００の例が示されている。スクリーン２００は、スクリーン２００に関連するメインメニュータブ２０２を含む。スクリーン２００は、スケールタブ２０４、警報タブ２０６、表面タブ２０８、カルテ記入タブ２１０、ツールタブ２１２、およびヘルプタブ２１４も有する。タブ２０２、２０４、２０６、２０８、２１０、２１２、２１４は、関連スクリーンまたは一式のスクリーンを呼び出すために、選択またはタッチされる。従って、タブ２０４、２０６、２０８、２１０、２１２、２１４に関するスクリーン上をナビゲートする場合、ユーザーがメインメニュースクリーン２００に戻りたい時は、ユーザーは単にタブ２０２を選択すればよい。本明細書に記述の詳細に加えて、グラフィカルユーザーインターフェース１４２およびそれに表示されるスクリーンのさらなる詳細は、米国特許出願公報番号２００８／０２３５８７２  Ａ１に記述されており、これは参照によって本明細書に明示的に組み込まれる。
【００３８】
メインメニュースクリーン２００は、ベッド１０に関連するすべての警報を列挙したアクティブ警報欄２１６を含む。例証的実例では、ベッド１０に関して起こっている警報状態はないため、欄２１６は空欄となっている。ベッド情報欄２１８は、スクリーン２００上で欄２１６の下に表示され、ベッド１０の頭部角度（すなわち、使用されているセンサータイプによって、頭部分４０のフレーム３６または水平方向に対する上昇角度）などの情報を表示する。図２に図式的に示されるように、ベッド１０は、頭部分４０および制御回路９８に連結されている角度センサー２２０を含む。適切な角度センサーの例には、例えば２〜３例を挙げると、電位差計、傾斜計、ボールスイッチ、および加速度計などが含まれる。図３の例証的実例では、頭部角度は０°である。
【００３９】
スクリーン２００のベッド情報欄２１８には、ナースコール警告発信がオフになっていることを示す文字列もある。つまり、その特定のベッド１０では、介護者に警報状態を警告するための遠隔ナースコールシステムによって、どのベッド状態もモニターされていないということである。この例では、文字列は「ＮａｖｉＣａｒｅ  ＯＦＦ」と表示される。欄２１８のＮａｖｉＣａｒｅという用語は、Ｈｉｌｌ−Ｒｏｍ  Ｃｏｍｐａｎｙ，Ｉｎｃ．から入手可能なＮＡＶＩＣＡＲＥ（登録商標）  Ｎｕｒｓｅ  Ｃａｌｌ（ＮＮＣ）  システムを指す。一部の実施形態では、情報をＥＭＲシステム１７６にカルテ記入するベッド１０の能力は、ベッド１０がナースコールシステムに接続されているかどうかには無関係であり、もし接続されている場合でもナースコールシステムへのベッド１０の警告機能がオンであるかオフであるかには無関係である。他の実施形態では、ベッド１０は、ナースコールシステム、ＡＤＴシステム、または他のシステムを介してＥＭＲシステム１７６と通信でき、従って、これらの特定の実施形態では中間システムへの接続性が必要となる。
【００４０】
スクリーン２００は、マットレス２２のステータスについての情報を伝達する表面ステータス欄２２２も有する。例証的実例では、欄２２２は、マットレス２２の回転療法機能がオフであり、マットレス２２のパーカッションおよびバイブレーション（Ｐ＆Ｖ）機能がオフであることを示す。さらにスクリーンは、マットレス２２が作動しているモードについての情報を伝達する表面モード欄２２４を有する。例証的実例では、表面２２は通常モードで作動している。他のモードには、例えば、圧力再配分モード、最大膨張モード、右回転モード、左回転モード、およびシード収縮モードを含む。スクリーン２００は、一部の実施形態では、ベッド１０についてのさらなる情報を視覚的に伝達するベッドアイコン２２５を有する。例えば、アイコン２２５にはそれぞれのサイドレールが下降していることを示すために赤色に色分けされた４つのサイドレールがあり、異なるタイプの表面療法またはモード情報を示すためにマークがアイコン２２５のマットレス部分に表示される。
【００４１】
介護者がカルテ記入タブ２１０を選択またはタッチした場合、ログインスクリーンまたはポップアップウィンドウ２２６（図４に例を表示）がグラフィカルユーザーインターフェース１４２上に表示される。スクリーン２２６は、ユーザー入力および欄を有し、これはデータをＥＭＲシステム１７６にカルテ記入することを承認された人物として介護者が自分の身分を確認するために使用される。例えば、例証的実施形態では、スクリーン２２６は、個人識別番号（ＰＩＮ）をタイプするために数字０−９に対応するボタンを持った数字キーボード２３２を使うことを介護者に促す「ＰＩＮを入力してください」という文字を表示する欄２２８を含む。関連するＰＩＮをタイプするために介護者がキーボード２２８を使用すると、ＰＩＮ欄２３０に星印が表示される。欄２３０に正しいＰＩＮ全部が入力されると、介護者はＯＫボタンまたはアイコン２３４をタッチまたは選択し、カルテ記入スクリーン２４０（図５に例を表示）がグラフィカルユーザーインターフェース１４２上に表示される。ユーザーがスクリーン２２６上のキャンセルボタン２３６を選択すると、メインメニュースクリーン２００がグラフィカルユーザーインターフェース１４２上に表示される。キーボード２３２は、欄２３０に入力されたＰＩＮをクリアするために押すＣボタン２３８を含む。従って、ボタン２３８は、介護者が欄２３０に自分のＰＩＮをタイプする時に、介護者が不注意でミスを犯した場合に使用される。
【００４２】
例証的実施形態では、介護者がデータをＥＭＲシステム１７６にカルテ記入することを承認されていることを確認するためにログインスクリーン２２６上にタイプ入力されたＰＩＮを使用しているが、介護者の身分を確認するための他の可能性も本開示の範囲内である。例えば、一部の実施形態では、ベッド１０はトークンを読み込むトークンリーダーを含む。トークンの一種としては磁気ストリップのついたカードがあり、トークンリーダーの一種としては、例えばスロットにカードをスワイプするかまたはスロットや開口部にカードを挿入することによってカードと連動する磁気カードリーダーがある。別のタイプのトークンとしては無線自動識別（ＲＦＩＤ）タグがあり、別のタイプのトークンリーダーとしてはＲＦＩＤタグリーダーがある。ＲＦＩＤタグおよび関連するＲＦＩＤタグリーダーには、送信機、受信機、および／または互いに通信するために適切に配置されたトランシーバーを含む。例を挙げると、ベッド１０は、トランシーバーの近くにあるＲＦＩＤタグによって受信された場合にＲＦＩＤタグに関連する固有コードを含む無線メッセージに応答する無線信号を送信するＲＦＩＤトランシーバーを有する。ＲＦＩＤタグの固有コードは、割り当てられた介護者に関連付けられており、ベッド１０の近くにいる介護者の身分を確認するために使用される。
【００４３】
介護者の本人確認のためにログインスクリーン２２６にタイプ入力されたＰＩＮを使用することについて、別の代替策としては、制御回路に連結されかつＥＭＲシステム１７６にデータを送る前に制御回路９８が要求する確認を提供する入力を受信する、バイオメトリックセンサーを使用することがある。このような実施形態では、バイオメトリックセンサーは、介護者の指紋（例えば、親指の指紋）を読み取ることによって、または介護者の網膜をスキャンすることによって、介護者を識別するために使用される指紋リーダーまたは網膜スキャナーを１つ以上を含み得る。一部の実施形態では、バイオメトリックセンサーは、１つまたは両方のサイドレール４８上の関連するディスプレイスクリーン１４２の近くに設置されている。しかし、バイオメトリックセンサーは、ベッド１０の他の部分に、例えばヘッドボード４６、フットボード４５、または一方または両方のサイドレール５０、またはアーム、ポール、または上部フレーム３８から上方に伸びるポッドなどに設置することもできる。
【００４４】
図５を参照すると、上述のようにログインスクリーン２２６を使ってユーザーが自分の身分確認に成功した後にグラフィカルユーザーインターフェース１４２上に表示されるカルテ記入ホームスクリーン２４０は、患者、患者を担当する医師と看護師、患者のベッドのベッドシリアル番号、および患者の部屋割りに関する情報を伝達するダイナミック欄２４２を有する。例証的実例では、患者はジェーン・ウィルミントン、患者の担当医はオーガスト医師、現在患者の担当となっている主介護者はロブ・バトラ（正看護師）、ベッドシリアル番号は１０００１２０３４、患者の部屋割りは１０１Ａ号室である。患者の名前、部屋の位置、患者の担当医および担当介護者に関する情報は、ＥＭＲシステム１７６またはナースコールシステム、ＡＤＴシステムなどの別のシステムなどの他のシステムリモートコンピューター装置から検索される。一部の実施形態では、介護者が欄２４２の情報を確認することができるように、特に患者の身元を確認することができるように、スクリーンはグラフィカルユーザーインターフェース１４２上に提示される。一部の実施形態では、患者の名前は、ＨＩＰＡＡ適合形式などのコード化形式で表示される。
【００４５】
また図５を参照するが、カルテ記入ホームスクリーン２４０は、ベッドステータスアイコン２４４、患者情報アイコン２４６、および活動アイコン２４８を有する。介護者がベッドステータスアイコン２４４を選択することに対応して、ベッドステータススクリーンがグラフィカルユーザーインターフェース１４２上に表示される。さまざまなベッド機能のステータスによって、ベッドステータススクリーンは異なるタイプの情報を伝達する。本開示では、ベッドステータススクリーン２５０ａ、２５０ｂ、２５０ｃ、２５０ｄ、２５０ｅの５つの例が、図６〜１０にそれぞれ提供されている。例証的実例では、各ベッドステータススクリーン２５０ａ、２５０ｂ、２５０ｃ、２５０ｄ、２５０ｅは、「現在のベッドステータス」および部屋番号を示す「１０１Ａ」の文字列２５４の下に部分ベッドマーク２５２を有する。部分ベッドマーク２５２は、頭部角度警報ステータスの吹き出し２５６、現在の頭部角度読み出し欄２５７、キャスターブレーキステータスの吹き出し２５８、上昇システムステータスの吹き出し２６０、および患者位置モニタリング（ＰＰＭ）システムステータスの吹き出し２６２を含む。
【００４６】
図６を参照すると、ベッドステータススクリーン２５０ａの第一の例が示されている。第一の例では、頭部角度警報ステータスの吹き出し２５６は、ベッド１０の頭部角度警報機能がセットされていることを示し、現在の頭部角度読み出し欄２５７はベッド１０の頭部分４０が３３°であり、例証的実例の頭部角度警報システムの閾値３０°を下回っていないことを示す。従って、ベッド１０の頭部分４０は十分に上昇しているので、スクリーン２５０ａの例に関してはベッドの頭部角度警報状態は存在しない。またスクリーン２５０ａでは、キャスターブレーキステータスの吹き出し２５８は、キャスターブレーキがセットされていることを示し、上昇システムステータスの吹き出し２６０は上部フレーム組立品３０がベース２８に対して最も低い位置にあることを示し、ＰＰＭシステムステータスの吹き出し２６２はＰＰＭシステムがオフになっていることを示す。
【００４７】
図７を参照すると、ベッドステータススクリーン２５０ｂの第二の例が示されている。第二の例では、頭部角度警報ステータスの吹き出し２５６は、ベッド１０の頭部角度警報機能がセットされていることを示し、現在の頭部角度読み出し欄２５７はベッド１０の頭部分４０が２７°であり、例証的実例の頭部角度警報システムの閾値３０°を下回っていることを示す。従って、ベッド１０の頭部分４０は十分に上昇しておらず、スクリーン２５０ｂの例に関しては、ベッド角度警報状態が存在することを意味する。頭部分角度警報状態のために、吹き出し２５６は例えば黄色または赤色などに色分けされて（図７では斜線模様で示される）視覚的に警報状態を示す。またスクリーン２５０ａでは、キャスターブレーキステータスの吹き出し２５８は、キャスターブレーキがセットされていることを示し、上昇システムステータスの吹き出し２６０は上部フレーム組立品３０がベース２８に対して最も低い位置にはないことを示し、そのため警報状態を示すために色分けされており、ＰＰＭシステムステータスの吹き出し２６２はＰＰＭシステムがオフになっていることを示す。
【００４８】
図８〜１０を参照すると、ベッド１０のＰＰＭシステムがセットされているそれぞれのモードを示すために、ＰＰＭシステムステータスの吹き出し２６２がそれぞれのスクリーン２５０ｃ、２５０ｄ、２５０ｅにスクリーン２５０ａとは異なるアイコンを持つことを除いては、ベッドステータススクリーンの第三、第四および第五の例２５０ｃ、２５０ｄ、２５０ｅは、それぞれベッドステータススクリーンの第一の例２５０ａと同じである。例証的実例では、図８の吹き出し２６２に表示されている退出モードアイコン２６４で示されるように、スクリーン２５０ｃに関してはベッド１０のＰＰＭシステムは退出モードにセットされており、図９の吹き出し２６２に表示されているベッド外モードアイコン２６６で示されるように、スクリーン２５０ｄに関してはベッド１０のＰＰＭシステムはベッド外モードにセットされており、図１０の吹き出し２６２に表示されている患者位置モードアイコン２６８で示されるように、スクリーン２５０ｅに関してはベッド１０のＰＰＭシステムは患者位置モードにセットされている。
【００４９】
図２に図式的に示されるように、ベッド１０はスケールシステム２７０を含む。スケールシステム２７０は、ベッド１０上の患者の体重を示す体重センサーを１つ以上を含む。一部の実施形態では、スケールシステムは、リフトフレーム３４をフレーム３４の四隅に隣接して体重測定フレーム３６と相互接続する４つのロードセル（例えば、歪みゲージ付きロードビーム）を含む。患者の体重の感知に加えて、スケールシステム２７０のセンサーからのデータは、制御回路９８が、マットレス２２および／または上部フレーム組立品２２に対する患者の位置を決定するためにも使用される。従って、例証的実例では、体重測定スケールシステム２７０のセンサーからのデータは、警報状態が存在するかどうかを決定するために、ＰＰＭシステムの退出、ベッド外、および患者位置モードに関連する閾値と比較される。病院用ベッドで使用されるスケールシステムの例は、  米国特許番号７，６１０，６３７、７，２５３，３６６、７，１７６，３９１、６，９２４，４４１、６，６８０，４４３、５，８５９，３９０に表示・記述されており、このそれぞれは参照によって本明細書に組み込まれる。退出、ベッド外、および患者位置モードを持つロードセルベースのＰＰＭシステムの考察については特に米国特許番号７，２５３，３６６を参照のこと。
【００５０】
図６〜１０に示されるように、ベッドステータススクリーンは、カルテ記入ボタンまたはアイコン２７２、履歴の閲覧ボタンまたはアイコン２７４、および「戻る」ボタンまたはアイコン２７６を含む。また図６〜１０に示されるように、一部の実施形態では、ベッドステータススクリーンは、スクリーン２００のベッドアイコン２２５とかなり類似しており、ベッド１０についてのさらなる情報を視覚的に伝達するベッドアイコン２２５も有する。ベッドステータススクリーン上の「戻る」ボタン２７６の選択に対応して、ベッドステータススクリーン上のベッドステータスデータをＥＭＲシステム１７６にカルテ記入または送信することなく、カルテ記入ホームスクリーン２４０がグラフィカルユーザーインターフェース１４２上に表示される。ベッドステータススクリーン上の履歴の閲覧ボタン２７４の選択に対応して、ベッドステータス履歴スクリーン２８６（図１２に例を示す）がグラフィカルユーザーインターフェース１４２上に表示される。スクリーン２８６は以下でさらに詳細に考察する。
【００５１】
図１１に示されるように、ベッドステータススクリーン上のカルテ記入ボタン２７２の選択に対応して、カルテ記入確認ポップアップウィンドウ２７８がグラフィカルユーザーインターフェース１４２上に表示される。ウィンドウ２７８は、介護者が吹き出し２５６、２５８、２６０、２６２および読み出し欄２５７に表示されるベッドステータスデータを、関連する患者のＥＭＲにカルテ記入したいかどうかを尋ねる文字２８０を有する。「はい」ボタンまたはアイコン２８２および「いいえ」ボタンまたはアイコン２８４が、ウィンドウ２７８に用意されている。ウィンドウ２７８の「いいえ」ボタン２８４の選択に対応して、カルテ記入ホームスクリーン２４０が再びグラフィカルユーザーインターフェース１４２上に表示され、ベッドステータススクリーン上に表示されているどのベッドステータスデータもＥＭＲシステム１７６にカルテ記入または送信されない。
【００５２】
ウィンドウ２７８の「はい」ボタン２８２の選択に対応して、吹き出し２５６、２５８、２６０、２６２および読み出し欄２５７に表示されているベッドステータスデータが、関連する患者のＥＭＲにカルテ記入される。その後、例えば図１２に示されるように、ベッドステータス履歴スクリーン２８６が自動的にグラフィカルユーザーインターフェース１４３上に表示される。ベッドステータス履歴スクリーン２８６は、特定の患者に対してＥＭＲにカルテ記入されたベッドステータスデータをスクロールするために選択する左スクロール矢印２８８および右スクロール矢印２９０を有する。ウィンドウ２７８で「はい」ボタン２８２を選択した場合、スクリーン２８６は始めに、ＥＭＲシステム１７６に記入されたばかりのデータを関連する日付および時間スタンプ２９２と共に表示する。異なる時間にカルテ記入されたデータをスクロールするために矢印２８８、２９０を使用すると、日付および時間スタンプ２９２は、部分ベッドマーク２５２の吹き出し２５６、２５８、２６０、２６２および欄２５７に表示される特定のデータがカルテ記入された日付と時間に一致するように変わる。
【００５３】
ベッドステータススクリーンの履歴の閲覧ボタン２７４を押すことに対応して、ベッド履歴スクリーン２８６に到達した場合は、スクリーン２８６は始めに、ＥＭＲシステム１７６に以前カルテ記入された直近のベッドステータスデータを示し、スクロール矢印２８８、２９０は前述と同様の方法で使用される。スクリーン２８６は「戻る」ボタン２７６も有し、これを選択すると、例えば図５に示されるカルテ記入ホームスクリーン２４０がグラフィカルユーザーインターフェース１４２上に表示されることになる。
【００５４】
図５に示されるカルテ記入ホームスクリーン２４９上の患者情報アイコン２４６を介護者が選択することに対応して、図１３の例に示されるように患者情報スクリーン２９４がグラフィカルユーザーインターフェース１４２上に表示される。スクリーン２９４上のカルテ記入タブ２１０の題名が「カルテ記入」から「患者情報」に変わり、患者情報タブ２１０’として示される。一部の実施形態では、スクリーン２４０上でベッドステータスアイコン２４４を選択したときに、タブ２１０に対して類似の題名変更が起こる。つまり、一部の実施形態では、スクリーン２４０上のタブ２４４を選択することに対応して、タブ２１０は題名が「カルテ記入」から「ベッドステータス」に変わる。
【００５５】
スクリーン２９４は、心拍数欄２９６、非侵襲性血圧（ＮＩＢＰ）欄２９８、体温欄３００、パルス酸素濃度値（ＳｐＯ２）欄３０２、および呼吸数欄３０４を含む。図１３では、すべての欄２９６、２９８、３００、３０２、３０４には疑問符があり、どの患者データも介護者によってこれらの欄にまだ入力されていないことを示す。従って、例証的実施形態では、以下に考察されるように、結果としてＥＭＲシステム１７６にカルテ入力するために、介護者は、データを欄２９６、２９８、３００、３０２、３０４に手入力する。ベッド１０が欄２９６、２９８、３００、３０２、３０４に関する患者データの一部またはすべてを感知する統合センサーを持つ他の実施形態では、欄２９６、２９８、３００、３０２、３０４には、感知された患者データが自動記入される。さらに他の実施形態では、ベッド１０と他の機器との間の室内接続（有線および／または無線）、または通信インフラ１７８のどちらかを介して、ベッド１０の制御回路９８が他の患者ケア機器と通信している。この実施形態では、欄２９６、２９８、３００、３０２、３０４には、ベッド１０が始めに患者データを収集する他の患者ケア機器から受信した対応する患者データが自動記入される。
【００５６】
患者情報スクリーン２９４の欄２９６、２９８、３００、３０２、３０４に患者データを手入力するには、介護者はデータを手動で入力すべき特定の欄２９６、２９８、３００、３０２、３０４にタッチする。図１４〜１８に関する考察では、患者の心拍数データを欄２９６に手入力するためのさまざまなオプションに関する例が挙げられている。対応するタイプのデータの他の欄２９８、３００、３０２、３０４への入力については、同様のプロセスに従う。データを欄２９６、２９８、３００、３０２、３０４に手入力する時は、介護者がハンドヘルドまたはポータブル医療機器を使って自分でデータを測定した場合や、または介護者が、例えば心電計（ＥＫＧ）、電子血圧計カフ、またはパルス酸素濃度計などのバイタルサインモニターなどの患者をモニターしている他の装置でデータを閲覧している場合がある。
【００５７】
患者情報スクリーン２９４上で、介護者が心拍数欄２９６を選択またはタッチすると、以前にＥＭＲシステム１７６にカルテ記入されたデータがない場合は欄２９６にはデフォルト値が記入され、ＥＭＲシステム１７６に最も最近カルテ記入されたデータ値が記入される。一部の実施形態では、ベッド１０は以前にカルテ記入されたデータをＥＭＲシステム１７６から検索し、他の実施形態では、ベッド１０はカルテ記入されたデータを、その後の検索のためにメモリー１７４などにローカル保存する。例証的実例では、欄２９６にタッチした後、図１４に示されるように、ベッド１０上の関連する患者について、以前にカルテ記入された心拍数（回／分）が９０回／分であることを示すために、欄２９６に数字９０が表示される。図１４にも示されるように、欄２９６にタッチすることに対応して、ＯＫアイコンまたはボタン３０６、プラスアイコンまたはボタン３０８およびマイナスアイコンまたはボタン３１０も、スクリーン２９４上の欄２９６の右側に表示される。
【００５８】
患者の心拍数がまだ９０回／分の場合、介護者がＯＫアイコン３０６を押すかタッチすると、色の変更（図１５では斜線で示される）などによってＯＫアイコン３０６はハイライトされ、アイコン３０６が正しく押されたことを示す視覚的フィードバックを介護者に与える。そして、介護者はアイコン３０６を押すまたはタッチすることを停止する。介護者がアイコン３０６を放した後、アイコン３０６のハイライトは消える。日付および時間スタンプ３１２が欄２９６に隣接して表示され、特定の患者データ（この例では心拍数）が測定された日付および時間が示される。
【００５９】
患者の心拍数がもはや９０回／分ではなく、介護者が心拍数データ値を変更したい場合は、介護者はプラスアイコン３０８またはマイナスアイコン３１０を押して、データ値をそれぞれ増加または減少させる。例えば、介護者がプラスアイコン３０８にタッチすると、プラスアイコン３０８は色の変更（図１７では斜線で示される）などによってハイライトされ、アイコン３０８が正しく押され心拍数が増加されたことを示す視覚的フィードバックを介護者に与える。追加的整数で心拍数を増加させたい場合は、介護者はデータ値が増加する間、単にアイコン３０８を押し続けるかタッチし続ければよい。データ値が希望値に達したら、介護者はアイコン３０８を押すまたはタッチするのを停止する。介護者がアイコン３０８を放した後、アイコン３０８のハイライトは消える。日付および時間スタンプ３１２が欄２９６に隣接して表示され、図１８に示されるように特定の患者データ（この例では心拍数）が測定された日付および時間を示す。マイナスアイコン３１０は、データ値を減少させるために同様に作動する。
【００６０】
同じプロセスを使用して、介護者は各欄２９８、３００、３０２、３０４にデータ値を入力および変更する。必要に応じて、特定の患者に対して関連データが利用できないまたはモニターされていない場合は、介護者は欄２９６、２９８、３００、３０２、３０４を１つ以上空欄にしておくことができる。図１９に示される例では、各欄２９６、２９８、３００、３０２、３０４は、介護者がデータを手入力しており、各欄２９６、２９８、３００、３０２、３０４に隣接して日付および時間スタンプ３１２がある。なお、関連する疑問符を以前にカルテ記入されたデフォルト値と置き換えるために介護者が欄２９６、２９８、３００、３０２、３０４の１つを選択した場合において、介護者がその後閾値時間（例えば２〜１５秒）内にＯＫアイコン３０６にタッチしなかったまたはプラスやマイナスアイコン３０８、３１０を使って値を変更しなかった場合は、対応する欄２９６、２９８、３００、３０２、３０４に示されている値は消えて、対応する欄２９６、２９８、３００、３０２、３０４に疑問符が再表示される。
【００６１】
例証的実例では、１分あたりの心拍数（回／分）、水銀ミリメートルでの血圧（ｍｍＨｇ）、華氏および摂氏両方での体温（°Ｆ／°Ｃ）、ヘモグロビンの酸素との飽和パーセントに対応する末梢酸素の飽和パーセントとしてのパルス酸素濃度計値（ＳｐＯ２）、および１分あたりの呼吸数（回／分）、これらに対応する患者データを患者情報スクリーン２９４に手入力できる。他の実施形態では、上述のデータに加えて、またはその代わりに、他のタイプの患者データをスクリーン２９４に手入力できる。侵襲性血圧および患者の身長は、別タイプの患者データの例である。なお、測定値の他の単位の使用も本開示の範囲内である。
【００６２】
図１３〜１９に示されるように、患者情報スクリーン２９４は、カルテ記入ボタンまたはアイコン３１４、履歴の閲覧ボタンまたはアイコン３１６、および「戻る」ボタンまたはアイコン３１８を含む。欄２９６、２９８、３００、３０２、３０４の１つ以上に関連患者データが記入された後、介護者がカルテ記入アイコン３１４を押すと、図１１に示すカルテ記入データスクリーンまたはウィンドウ２７８がグラフィカルユーザーインターフェース１４２上に表示される。介護者はその後、スクリーン２７８上の「はい」アイコン２８２を選択して、スクリーン２９４上に示される患者データをＥＭＲシステム１７６に送って患者の医療記録にカルテ記入する。介護者がデータをＥＭＲシステム１７６にカルテ記入したくない場合は、介護者はスクリーン２７８上の「いいえ」アイコン２８４を選択し、患者データをＥＭＲシステム１７６に送ることなくスクリーン２９４に戻る。
【００６３】
介護者がスクリーン２９４上の「戻る」ボタン３１８を選択すると、カルテ記入ホームスクリーン２４０（例を図５に表示）がグラフィカルユーザーインターフェース１４２上に表示される。介護者がスクリーン２９４上のカルテ記入アイコン３１４を選択し、次にスクリーン２７８上の「はい」アイコン２８２を選択することに対応して、例えば図２０に示されるように、患者情報履歴スクリーン３２０がグラフィカルユーザーインターフェース１４２上に表示される。患者情報履歴スクリーン３２０は、特定の患者に対してＥＭＲにカルテ記入された患者データをスクロールするために選択する左スクロール矢印３２２および右スクロール矢印３２４を有する。時間を遡ってスクロールするには左スクロール矢印３２２を選択し、時間を先にスクロールするには右スクロール矢印３２４を使用する。スクロール矢印３２２、３２４を使って異なる時間にＥＭＲシステム１７６にカルテ記入されたデータを検索する際、欄２９６、２９８、３００、３０２、３０４にはカルテ記入されたデータが記入されており、ＥＭＲシステム１７６に関連データがカルテ記入された日付と時間を示すために日付および時間スタンプ３２６が矢印３２２、３２４の間の領域に表示される。
【００６４】
図２０に示されるように、患者情報履歴スクリーン３２０は、グラフボタンまたはアイコン３２８を含む。介護者がグラフボタン３２８を選択することに対応して、患者情報履歴グラフスクリーン３３０（例を図２１に表示）がグラフィカルユーザーインターフェース１４２上に表示される。患者情報履歴グラフスクリーン３３０は、異なる時間にＥＭＲシステムに保存された患者データのグラフ表示を含む。一部の実施形態では、介護者はスクリーン３３０をダブルタップして、患者情報履歴スクリーン３２０に戻る。他の実施形態では、「閉じる」ボタンまたは「戻る」ボタンが設けられている。「閉じる」アイコンの「戻る」を選択すると、介護者は患者情報履歴スクリーン３２０に戻り、その後上述のようにスクリーン３２０上の「戻る」ボタン３１８を使って、介護者はカルテ記入ホームスクリーン２４０に戻る。一部の実施形態では、グラフのすべてがスクリーン３３０上に入らない場合、介護者が患者情報履歴グラフの他の部分にスクロールできるように、左および右スクロール矢印がスクリーン３３０上に設けられている。
【００６５】
カルテ記入ホームスクリーン２４０上で活動アイコン２４８を選択することに対応して、例えば図２２に示されるように、活動スクリーン３３２がグラフィカルユーザーインターフェース１４２上に表示される。活動スクリーン３３２がインターフェース１４２上に表示される時、カルテ記入タブ２１０の題名は「カルテ記入」から「活動」に変わり、活動タブ２１０”として示される。活動スクリーン３３２は、入力追加ボタンまたはアイコン３３４、カルテ記入ボタンまたはアイコン３３６、履歴の閲覧ボタンまたはアイコン３３８、および「戻る」ボタンまたはアイコン３４０を有する。
【００６６】
介護者がスクリーン３３２上の入力追加アイコン３３４を選択すると、例えば図２３に示されるように、活動入力追加スクリーン３４２がグラフィカルユーザーインターフェース１４２上に表示される。活動入力追加スクリーン３４２は、仰向けアイコン３４６、右側アイコン３４８、左側アイコン３５０、室内の椅子アイコン３５２、および椅子モードベッドアイコン３５４を含む選択可能なボタンまたはアイコンの形式での活動のメニュー３４４を有する。仰向けとは、患者が仰向けになっていることを意味し、右側とは患者が右側を向いていることを意味し、左側とは患者が左側を向いていることを意味する。室内の椅子とは患者がベッド１０を出て患者の部屋の中の椅子に座っていることを意味し、椅子モードベッドとはベッドが椅子位置に移動されていることを意味する。従って、例証的実例では、メニュー３４４にリストされている活動は、相互排他的である。つまり、患者はある時点でこれらの活動のうち１つのみを行うことができる。図２４〜２６の以下の説明は、メニュー３４４からの仰向けアイコン３４６の選択に関する。しかし、類似のプロセスに従うと、スクリーン３４２上のメニュー３４４からの他のアイコン３４８、３５０、３５２、３５４の選択に対応して、図２４−２６と同様のスクリーンセットが表示される。
【００６７】
スクリーン３４２のメニュー３４４上の仰向けボタン３４６の選択に対応して、例えば図２４に示されるように、活動仰向けスクリーン３５６がグラフィカルユーザーインターフェース１４２上に表示される。活動仰向けスクリーン３５６は、「患者が仰向けになりました」という文字を含む欄３５８および「ｘ」アイコン３６０を有する。この時点で、介護者はカルテ記録アイコン３３６を選択することができ、図１１のカルテ記録確認ウィンドウ２７８がインターフェース１４２上に表示される。介護者は次に、「はい」アイコン２８２を選択して活動データをＥＭＲシステム１７６中の患者のＥＭＲにカルテ記入するか、または「いいえ」アイコン２８４を選択して活動データをカルテ記入せずにスクリーン３５６に戻る。スクリーン２７８上の「はい」アイコン２８２を選択すると、活動スクリーン３３２が再びインターフェース１４２上に表示される。
【００６８】
スクリーン３５６を閲覧中、介護者が活動を患者のＥＭＲにカルテ記入せずに削除したい場合は、介護者は「ｘ」アイコン３６０を選択する。これにより、図２５に示されるように、活動削除入力スクリーン３６２がグラフィカルユーザーインターフェース１４２上に表示されることになる。活動削除入力スクリーン３６２は、「はい」アイコンまたはボタン３６４および「いいえ」アイコンまたはボタン３６６に加えて、「このカルテ入力を削除しますか？」という文字を有する。介護者がスクリーン３６２上の「いいえ」アイコン３６６を選択すると、介護者が図２４のスクリーン３５６に戻る。介護者がスクリーン３６２の上「はい」アイコン３６４を選択すると、スクリーン３５６上に表示された活動が消去され、介護者は図２２のスクリーン３３２に戻る。
【００６９】
介護者がスクリーン３３２上の履歴の閲覧アイコン３３８を選択すると、例えば図２６に示されるように、活動履歴の閲覧スクリーン３６８がグラフィカルユーザーインターフェース１４２上に表示される。例証的実例では、「患者が仰向けになりました。３：１１  ＡＭ」という文字列３７０がスクリーン３６８上に表示される。関連患者に関して過去に追加的活動がＥＭＲシステム１７６にカルテ記入されていた場合は、テキスト３７０に類似の追加的文字列もスクリーン３６８上に表示される。一部の実施形態では、患者に対してあまりに多くの活動がカルテ記入されているためにすべての文字列がスクリーン３６８に入らない場合、上・下スクロール矢印が提供され、介護者は他の活動入力にスクロールすることができる。
【００７０】
図２７を参照すると、スケールタブ２０４を選択した場合、スケールスクリーン３７２がグラフィカルユーザーインターフェース１４２上に表示される。スクリーン３７２は、前回の体重欄３７４、前回の体重測定日時欄３７６、前回のゼロ設定日時欄３７８、ＥＭＲステータス欄３８０、および体重履歴グラフ欄３８２を含む。スクリーン３７２の例証的実例では、各欄３７４、３７６、３７８、３８０には、患者の体重がまだ測定されていないことを示すためにＮ／Ａが表示される。このように、これらの欄に対するデータがなく、患者の体重がまだ測定されていないので欄３８２には体重グラフがない。
【００７１】
スクリーン３７２はまた、スケールゼロ設定ボタンまたはアイコン３８４、体重調整ボタンまたはアイコン３８６、ｋｇボタンまたはアイコン３８８、体重履歴ボタンまたはアイコン３９０、および患者体重測定ボタンまたはアイコン３９２も有する。スケールゼロ設定ボタン３８４は、スケールシステム２７０の風袋重量を設定するために使用される。体重調整ボタン３８６は、ボタン３８６を選択した後にインターフェース１４２上に表示されるプラスおよびマイナスキーを使って、患者の体重測定値を上下に調整するために使用される。ｋｇボタン３８８は、介護者が患者の体重をキログラム（ｋｇ）またはポンド（ｌｂ）のどちらで表示したいかを示すために使用される。ボタン３８８を押すと、スケールシステム２７０はポンドシステムに切り替わり、ボタン３８８に「ｌｂ」単位が表示されて体重の単位がｌｂで表示されていることを示す。体重履歴ボタン３９０を押すと、体重グラフが欄３８２に表示される。
【００７２】
介護者がスクリーン３７２上の患者体重測定ボタン３９２を選択すると、図２８に示されるスケール解放スクリーン３９４が閾値時間（例証的実例では３秒）の間グラフィカルユーザーインターフェース１４２上に表示される。スクリーン３９４は、「ベッドから離れてください」および「２秒後に患者の体重を測定します。」の文字を有する。従って、例証的実施形態では、スクリーン３９４上の文字は、閾値の３秒から１秒単位でカウントダウンする。閾値時間が経過した後、図２９に示されるように、スケール体重測定スクリーン３９６がグラフィカルユーザーインターフェース１４２上に表示される。病院用ベッド１０のスケールシステム２７０が患者の体重を測定する間、スクリーン３９６がインターフェース１４２上に表示される。
【００７３】
スケールシステム２７０が患者の体重を測定し終えると、例えば図３０に示されるように、スケール承認スクリーン３９８がグラフィカルユーザーインターフェース１４２上に表示される。スケール承認スクリーン３９８は、患者の測定体重が表示される新規患者体重欄４００を有する。例証的実例では、患者の体重は９６．０ｋｇである。スクリーン３９８は、キャンセルボタンまたはアイコン４０２、体重再測定ボタンまたはアイコン４０４、および承認ボタンまたはアイコン４０６を有する。キャンセルボタン４０２は、今測定したばかりの体重測定値をキャンセルするために選択する。体重再測定ボタン４０４は、ベッドに当たったまたは以前の体重測定中に患者が動いたなど、介護者が何らかの理由で患者の体重を再測定したい場合に選択する。
【００７４】
承認ボタン４０６は、患者の体重を測定した後にその体重を承認するために押される。図３１〜３４に関して以下で考察するが、承認４０６を選択することにより、ＥＭＲ自動送信機能が有効か無効かに応じて、以下のような動作が行われる。（ＥＭＲ自動送信が有効の場合）制御回路９８のメモリー１７４に患者の体重が保存され、体重測定値のＥＭＲシステム１７６へのカルテ記入が開始される。または、（ＥＭＲ自動送信が無効の場合）制御回路９８のメモリー１７４に患者の体重が保存されるが、体重測定値のＥＭＲシステム１７６へのカルテ記入は開始されない。
【００７５】
ＥＭＲ自動送信機能が無効の場合、スクリーン３９８上の承認ボタン４０６の選択後、例えば図３１に示されるように、スケール黄色スクリーン４０８がグラフィカルユーザーインターフェース１４２上に表示される。ＥＭＲ自動送信機能が有効の場合、承認ボタン４０６の選択後、図１１のカルテ記入確認ウィンドウ２７８がグラフィカルユーザーインターフェース１４２上に表示される。ウィンドウ２７８の「はい」ボタン２８２を選択すると、スケール黄色スクリーン４０８がインターフェース１４２上に表示され、患者の体重がＥＭＲシステム１７６に送られて上述のように患者のＥＭＲにカルテ記入される。スクリーン４０８は、黄色にハイライトされた（図３１では斜線で表示）欄３７４、３７６、３８０を有し、これは、新しい情報がベッド１０のメモリー１７４に保存されかつＥＭＲ自動送信機能が有効の場合は患者のＥＭＲにもカルテ記入されていることを示す。閾値時間（例証的実例では３秒）が経過している間、欄３７４、３７６、３８０の黄色のハイライトは薄くなり、この時点で、例えば図３２に示されるように、スケール最終スクリーン４１０がグラフィカルユーザーインターフェース１４２上に表示される。
【００７６】
スクリーン４０８、４１０上の欄３８２は、患者の現在の体重を含むグラフを示す。患者が複数回体重測定されている場合は、追加的データポイントが欄３８２のグラフ上に表示される。例証的実例では、「０８／１８／１０  ３：５２  ＡＭ送信」の文字が欄３８０に表示されており、これは、ＥＭＲシステム１７６に患者の体重がカルテ記入された日付および時間を示している。従って、ＥＭＲ自動送信機能は、例証的実例では有効化されている。ＥＭＲ自動送信機能が無効の場合は、Ｎ／Ａという文字がスクリーン４０８、４１０上の欄３８０に残ったままになる。
【００７７】
今度は図３３を参照すると、ＥＭＲ自動送信機能が無効のときにツールタブ２１２を選択すると、ツール自動送信無効スクリーン４１２がグラフィカルユーザーインターフェース１４２上に表示される。スクリーン４１２は、前回消去日時欄４１６の付いた患者履歴バー４１４、履歴閲覧アイコンまたはボタン４１８、および消去（新規患者）ボタンまたはアイコン４２０を含む。一部の実施形態では、ベッド１０のメモリー１７４に以前の患者用に保存されたデータを消去するためにボタン４２０が選択されて、新規患者に関連する新規データのみがグラフィカルユーザーインターフェース１４２上の本明細書に記述のさまざまなスクリーンに示されるようになる。他の実施形態では、メモリー１７４は以前の患者のデータをまだ保存している。ベッド１０に新規患者が割り当てられると、インターフェース１４２上に表示されないにすぎない。ボタン４１８は、ベッド１０に割り当てられた患者に関する履歴情報を見るために選択される。前回の消去日時欄４１６は、患者履歴データが最後に消去された日付と時間を示す。
【００７８】
スクリーン４１２は、日付および時間欄４２４、変更ボタンまたはアイコン４２６、および消去（新規患者）ボタンまたはアイコン４２８を含む、日付および時間バー４２２も含む。ボタン４２８は、以前の患者の日付および時間情報を消去するために選択する。欄４２４は、現在の日付と時間を示す。変更ボタン４２６は、例えば、欄４２４に示される日付および時間が正しくない場合、日付および時間を変更するために使用される。変更ボタン４２６を選択すると、日付および時間を変更するキーが表示される。
【００７９】
スクリーン４１２はさらに、言語欄４３２および変更アイコンまたはボタン４３４を含む言語バー４３０を含む。例証的実例では、「英語」という言葉が言語欄４３２に表示される。ボタン４３４は、グラフィカルユーザーインターフェース１４２上に表示されるさまざまなスクリーンの言語を変更するために選択する。ボタン４３４を選択すると、言語のメニューオプションがインターフェース１４２上に表示され、介護者は次に言語オプションのメニュー上の希望の言語を選択することができる。
【００８０】
スクリーン４１２は、有効／無効欄４３８および変更ボタンまたはアイコン４４０を含むＥＭＲ自動送信バー４３６を有する。ベッド１０のＥＭＲ自動送信機能が無効であることを示すために、「無効」という言葉が欄４３８に表示される。介護者が図３３のスクリーン４１２上のボタン４４０にタッチすると、欄４３８は黄色のハイライトなどにハイライト（図３４では斜線で示される）され、「無効」という言葉が「有効」に変り、ベッド１０のＥＭＲ自動送信機能が有効であることが示される。例えば３秒など、閾値時間が経過した後、図３５に示されるようにハイライトは薄くなり消える。ＥＭＲ自動送信機能が有効で介護者がこの機能を無効にしたいと思う場合、介護者がボタン４４０にタッチすると欄４３８はハイライトされ（図３６では斜線で示される）、「有効」という言葉が「無効」に変わる。閾値時間が経過した後、図３６の欄４３８のハイライトは薄くなって消える。従って、ボタン４４０は、ＥＭＲ自動送信機能を有効／無効で切り替えるために使用され、欄４３８はＥＭＲ自動送信機能が有効か無効かを視覚的に示す。
【００８１】
次に図３７を参照すると、表面タブ２０８を選択することに対応して、表面スクリーン４４６がグラフィカルユーザーインターフェース１４２上に表示される。表面スクリーン４４６はユーザー入力を有し、これは病院用ベッド１０のマットレス２２のさまざまな機能を制御するためにタッチされる。例証的実例では、スクリーン４４６は、マットレス２２の袋をプログラムされた最大圧力まで膨張させるために選択する最大膨張ボタンまたはアイコン４４８、マットレス２２の右回転袋を膨張させて患者を右向きにするために選択する右回転アイコン４５０、マットレス２２の左回転袋を膨張させて患者を左向きにするために選択する右回転アイコン４５２、患者の向きを変える時間を介護者に知らせるタイマーをセットするために選択するお知らせアイコンまたはボタン４５４、シート部分のマットレス２２の袋を収縮して患者の横からの退出・進入を容易にするために選択するシート収縮ボタンまたはアイコン４５６、およびアイコン４４８、４５０、４５２、４５６を使って選択された機能を開始するために押すスタートボタンまたはアイコン４５８を有する。
【００８２】
ボタン４４８、４５０、４５２、４５６に次いでスタートボタン４５８を選択することに対応して、「データをＥＭＲに記入」スクリーン４６０がグラフィカルユーザーインターフェース１４２上に表示される。一部の実施形態では、ボタン４４８、４５０、４５２、４５６に関する表面機能は、それぞれのボタンが選択されることに対応して開始されるため、スタートボタン４５８は省かれている。「データをＥＭＲにカルテ記入」スクリーン４６０は、介護者がカルテ記入のために患者のマットレス２２の表面機能の使用に関する情報をＥＭＲに送ることを可能にする。スクリーン４６０は、介護者が自分のＰＩＮをタイプするキーボード４６２、およびデータをＥＭＲシステム１７６にカルテ記入するために選択するＯＫボタン４６８を含む。キーボード４６２には「ＣＬＲ」の文字を持つクリアボタン４６４が設けられて、ＰＩＮの入力でミスを犯した時に選択される。介護者が表面情報をＥＭＲシステム１７６にカルテ記入したくない場合は、アイコン４６６を選択する。
【００８３】
図３９を参照すると、正しいＰＩＮが入力され、表面スクリーン上で「右に回転」ボタン４５０にタッチした後に、「データをＥＭＲにカルテ記入」スクリーン４６０上のＯＫボタン４６８にタッチすることに対応して、第一の「患者を右に回転」スクリーン４７０がグラフィカルユーザーインターフェース１４２上に表示される。第一の「患者を右に回転」スクリーン４７０は、回転データがカルテ記入のためにＥＭＲに送信されたことを確認する「回転をＥＭＲに送信：７／９／２００８  １：４４：４４  ＰＭ」という文字列４７４を有する。スクリーン４７０は、回転の時間がどのくらい残っているかを示すカウントダウンタイマーバー４７２も有する。例証的実例では、回転に２９分３７秒が残っている。バー４７２は、回転中に時間が経過するにつれて満たされる。
【００８４】
図４０に示されるように、表面スクリーン４４６上で「右に回転」ボタン４５０にタッチした後に、「データをＥＭＲにカルテ記入」スクリーン４６０上でキャンセルボタン４６６をタッチすることに対応して、第二の「患者を右に回転」スクリーン４７８がグラフィカルユーザーインターフェース１４２上に表示される。スクリーン４７８は、図４０のスクリーン４７８から図３９のスクリーン４７０上に表示される文字列４７４が省かれていることを除いては、基本的にスクリーン４７０と同じである。各スクリーン４７０、４７８はキャンセルボタンまたはアイコン４７６を有し、これはその期間の時間が完全に経過する前に回転をキャンセルするために選択される。右回転アイコン４５０が選択されるのではなくスクリーン４４６上で左回転アイコン４５２が選択されることに応答して、かつ、図３８のスクリーン４６０上で希望する選択が行われた後、実質的にスクリーン４７０、４７８と同じスクリーンがグラフィカルユーザーインターフェース１４２上に表示される。スクリーン４４６上のアイコン４４８、４５６の使用に応答して、かつ、スクリーン４６０上で希望する選択が行われた後、スクリーン４７０、４７８に類似のスクリーンが表示される。
【００８５】
図４１を参照すると、患者禁忌スクリーン４８０は、一部の実施形態でグラフィカルユーザーインターフェース１４２上に表示されるスクリーンのもう１つの例である。スクリーン４８０は、患者の薬物および食物アレルギー、患者の針刺し禁忌、および患者のその他の禁忌のリストが表示される禁忌ウィンドウ４８２を含む。例証的実例では、ウィンドウ４８２は、関連する患者はペニシリンおよびキシモシリンの薬物アレルギーを持つことを「薬物アレルギー」見出しの下に示し、マッシュルームおよびピーナッツの食物アレルギーを持つことを「食物アレルギー」見出しの下に示す。さらに、例証的実例では、「針刺し禁忌」見出しの下で患者の左腕は針刺し禁忌となっている。この禁忌は、患者／ベッドアイコン上にも患者の左上に対応する色の付いた領域４８６として図式的に示されている。例えば、領域４８６は一部の実施形態では赤色であるが、他の色またはパターン、影などの図式的マークを必要に応じて使用できる。また例証的実例では、患者の左側からの患者の退出に関する禁忌が、「他の禁忌」見出しの下のウィンドウ４８２に示されている。
【００８６】
上述のスクリーンの部分とかなり類似したスクリーン４８０の他の部分は、類似の参照番号などで示されている。しかし、スクリーン４８０では、タブではなくアイコンまたはボタン２０２、２０４、２０８、２１０が表示されている。また、ヘルプボタン２１４は、「ヘルプ」という言葉ではなく疑問符（「？」）を含む。さらに、スクリーン４８０は、ウィンドウ４８２を表示するためにタッチまたは選択する患者ボタンまたはアイコン４８８を含む。警報停止アイコンまたはボタン４９０もスクリーン４８０上に設けられており、ベッド１０で起こる任意の警報を停止するために選択できる。介護者が、例えば図４１のボタン２０４、２０８、２１０および４８８と同じ領域にスクリーン４９０上に表示されるカルテ記入アイコンまたは警報アイコンなどの他のボタンまたはアイコンへとスクロールできるように、スクロールアイコン４９４の付いた垂直スクロールバー４９２がスクリーン４８０上に設けられている。本開示で前に述べたスクリーンには、スクリーン４８０が、患者の名前、患者の担当医、および患者の担当看護師を示すものもあるが、一部の実施形態ではこの情報の一部またはすべてが省かれている。
【００８７】
スクリーン４８０のウィンドウ４８２にリストされている禁忌に関する情報は、一部の実施形態ではリモートコンピューター１７６からベッドに伝達される。一部の実施形態では、これはボタン４８８を選択することに対応して起こる。他の実施形態では、特定の患者がベッド１０と関連付けられると、情報はベッド１０に伝達されてメモリー１７４に保存される。このような実施形態では、ボタン４８８を選択すると、メモリー１７４に保存された禁忌情報が表示される。また他の実施形態では、グラフィカルユーザーインターフェース１４２は、例えば表示されたキーボードを介して、またはウィンドウ４８２に提供された見出しの下の関連カテゴリーの一般的禁忌をリストするドロップダウンメニューを介して、このような情報の直接入力を提供する。
【００８８】
禁忌ウィンドウ４８２に関して、一部の実施形態では、表示される情報は医師の指示から取得され、この指示は、リモートコンピューター１７６に入力および／または保存されるか、および／またはグラフィカルディスプレイスクリーン１４２を使って入力される。従って、例えば医師の指示をベッドサイドでＥＭＲまたはＡＤＴコンピューター１７６から受信し、それらをその場でディスプレイスクリーン１４２上に表示することは、本開示の範囲内である。これに代えてまたはこれに加えて、スクリーン１４２上に表示される情報には、カレンダーの「１日の概要」タイプの形式で、介護者が患者の動作および時間をベッドサイドで見ることができるような患者のスケジュールを含む。このタイプの情報は、ウィンドウ４８２に表示される禁忌を判断するのに有用である。例えば、患者が脊椎手術を受けた後は、ベッド１０は、頭部分４０を低くした逆トレンデレンブルグ体位に構成されなければならない。患者が脊椎手術から戻った後は、頭部分４０を上昇させるべきではない。
【００８９】
ベッド動作の禁忌の別の例は、患者が脚の手術を受けた後に、ベッドの足および大腿部分４３、４４を動かすことである。一部の例では、足および大腿部分４３、４４を低くしておくのが望ましいことがあるが、他の例では、例えば足部分４４を水平にして大腿部分４３を上げておくのが望ましい場合がある。従って、表４８２の他の禁忌見出しの下に表示されるメッセージの例には、患者のタイプおよび／避けるべきベッドの動作によって、「患者の動作−頭部分を低く保ち、上部フレームを逆トレンデンブルグ体位に保つ」、「患者の動作−大腿および足部分を平らに保つ」、「患者の動作−大腿および足部分を高く保つ」、「頭部分を上げない」、「大腿および足部分を低くしない」などが含まれる。
【００９０】
本開示によると、医師の指示に反して、または別の形で患者の記録の情報に反して、禁忌であるベッド動作を行おうとすると、ディスプレイスクリーン１４２は、例えば、警告メッセージ「あなたが行おうとしている動き［行おうとしている動きをここに記載］は、以下の医師の指示により禁忌となっています：［医師の指示をここに記載］。詳細情報を得るには、または、指示を解除するには、［ＡＤＴまたはＥＭＲシステムから取得した医師の名前をここに記載］に連絡してください。」を表示する。グラフィカルユーザーインターフェース１４２上に警告を表示することにより、リモートコンピューター１７６からの情報に基づいて禁忌となっている方法で介護者がベッドを動かそうとした場合に、患者の安全が向上し、かつ、患者の転帰が改善される。一部の実施形態では、ディスプレイスクリーン１４２は、禁忌の方法でベッドを動かすために選択できるオーバーライドアイコンを１つ以上持つ。一部の実施形態では、介護者は一連の２つ以上のスクリーンまたはウィンドウ上で適切なオーバーライド選択を行うことが必要である。
【００９１】
ディスプレイスクリーン１４２上で禁忌の指示を知らせることは、介護者が各患者のステータスを覚えておくこと、および、シフト中にその介護者が世話をしているさまざまな患者に対してどのような医師の指示が現在有効かを覚えておくことの助けとなる。これはまた、一組の介護者から別の組に患者を引き継ぐことを容易にする。介護者にベッドまたは患者動作の禁忌について警告することにより、望ましくないベッドまたは患者の動作が回避される。これはまた、患者がディスプレイスクリーン１４２を見て適正な一式のステップをクリックし、禁忌をオーバーライドしてベッド動作に進むことができないため、患者が不注意に外側のコントロール（例えば、患者とは反対側のサイドレールの横にあるユーザー入力）を押すことによる偶発的起動を減少させる。
【００９２】
図４２を参照すると、「摂取／排出のカルテ記入」スクリーン５００は、患者が異なる時間に摂取した食物と飲物についての情報を示すためにグラフィカルユーザーインターフェース上に表示される摂取表５０２、および患者の排出についての情報を持つ排出表５０４を含む。スクリーン５００をナビゲートするためには、カルテ記入ボタン２１０を選択する。一部の実施形態では、これによってさまざまなカルテ記入オプションのリストが表示される。カルテ記入オプションは、一部の実施形態ではボタンに記述されており、他の実施形態ではオプションのメニュー上に表示される。例えば、カルテ記入アイコン２１０を選択すると、摂取／排出ボタン（非表示）およびバイタルサインボタン（非表示）が表示される場合がある。摂取／排出ボタンを選択すると、グラフィカルユーザーインターフェース１４２上にスクリーン５００が表示される。バイタルサインボタンを選択すると、図１３のスクリーン２９４と類似または同一のスクリーンがグラフィカルユーザーインターフェース１４２上に表示される。一部の実施形態では、例えば図４のスクリーン２２６に関して、上述のようにユーザーはログインスクリーンにＰＩＮをまず入力しなければならない。
【００９３】
例証的実例では、図４２に示されるように、表５０２は摂取、食事、液体、支援および時間の見出しを持つ欄を含む。摂取欄は、患者の摂取物のタイプを示すための朝食、昼食、おやつ、夕食およびその他などの入力を含む。食事欄は、患者が摂取した摂取物のパーセントを示す。例証的実例では、表５０２の朝食という言葉の隣に「５０％」と示されるように、患者は朝食の半分を食べ、おやつという言葉の隣に「１００％」と示されるように、患者はおやつのすべてを食べた。液体欄は、患者が摂取した液体の容量または量をミリリットル（ｍｌ）で示す。支援欄は、食事中に介護者が患者に提供した支援の程度を示す。例証的実例では、表５０２の「全体」という言葉で示されるように、介護者は朝食全体を患者に食べさせなければならなかった。また、表５０２の「支援」という言葉で示されるように、介護者は昼食時患者にはある程度の支援を提供しており、かつ、表５０２の残りの各列の「自身」という言葉で示されるように、患者は表５０２の残りの摂取物は自分で食べることができた。時間欄は、患者が特定の摂取物を食べた時間を示す。一部の実施形態では、日付欄（非表示）も表５０２に示されている。例証的実例では、表５０２の他の入力を上下にスクロールするためのスクロールバー４９２’およびスクロールアイコン４９４’が表５０２の右側に提供されている。
【００９４】
スクリーン５００の例証的実例では、スクリーン５００は、表５０２の右側に摂取アイテム追加ボタンまたはアイコン５０６および摂取履歴閲覧ボタンまたはアイコン５０８をさらに有する。ボタン５０６を選択すると、介護者はドロップダウンメニューまたはキーボードなどを介して、表５０２に別の列の情報を追加することができる。ボタン５０８の選択によって、介護者は表５０２の患者の摂取情報履歴にアクセスすることができる。摂取情報履歴は、例えば前日または数日前の患者の摂取に対応する。一部の実施形態では、摂取情報は、ボタン５０８の選択に対応してリモートコンピューター１７６から検索される。従って、本開示によると、表５０２に入力された摂取情報は、患者の電子医療記録に保存されるために、ベッド１０によってコンピューター１７６に転送される。一部の実施形態では、摂取情報は、既定時間に自動的にまたは定期的に、ベッド１０からコンピューター１７６に転送される。他の実施形態では、摂取情報は、ユーザーがコンピューター１７６でベッド１０から検索する。これに代わりまたは・これに加えて、摂取情報がベッド１０のメモリー１７４にその場で保存されることは、本開示の範囲内である。
【００９５】
例証的実例では、図４２に示されるように、表５０４は排出、尿、嘔吐、ＢＭ／便および時間の見出しを持つ欄を含む。排出欄は、排出物の測定方法（容量／サイズまたは数）を示す。容量／サイズおよび数は、情報を入力する表５０４の列に対応する。尿欄は、患者が排尿した時の量または容量をミリリットル（ｍｌ）で示す。嘔吐欄は、患者が嘔吐したときの量または容量を示す。例証的実例では、患者は嘔吐していないので、嘔吐欄にはすべての排出に対して該当なし（「ＮＡ」）と表示されている。ＢＭ／便欄は、患者の便通に対する媒体の容量／サイズおよび０１の数を示し、これは時間欄に示すように午前１１時３０分に行われている。時間欄は、患者が特定の排出物を排出した時間を示す。一部の実施形態では、日付欄（非表示）も表５０４に示されている。例証的実例では、表５０４の他の入力を上下にスクロールするためのスクロールバー４９２”およびスクロールアイコン４９４”が表５０２の右側に設けられている。
【００９６】
スクリーン５００の例証的実例では、スクリーン５００は、表５０４の右側に排出アイテム追加ボタンまたはアイコン５１０および排出履歴閲覧ボタンまたはアイコン５１２をさらに有する。ボタン５１０を選択すると、介護者はドロップダウンメニューまたはキーボードなどを介して、表５０４に別の列の情報を追加することができる。ボタン５１２の選択によって、介護者は表５０４の患者の排出情報履歴にアクセスすることができる。排出情報履歴は、例えば前日または数日前の患者の排出に対応する。一部の実施形態では、排出情報は、ボタン５１２の選択に対応してリモートコンピューター１７６から検索される。従って、本開示によると、表５０４に入力された排出情報は、患者の電子医療記録に保存されるために、ベッド１０によってコンピューター１７６に転送される。一部の実施形態では、排出情報は、既定時間に自動的にまたは定期的に、ベッド１０からコンピューター１７６に転送される。他の実施形態では、排出情報は、ユーザーがコンピューター１７６でベッド１０から検索する。これに代わりまたはこれに加えて、排出情報がベッド１０のメモリー１７４にその場で保存されることは、本開示の範囲内である。
【００９７】
一部の実施形態では、患者の摂取および排出情報は、ベッド１０で入力されるのではなく、リモートコンピューター１７６で入力される。一部の実施形態では、リフレッシュボタンまたはアイコン５１４（図４２に例を表示）がスクリーン５００に設けられている。アイコン５１４を選択すると、ベッド１０によってリモートコンピューター１７６から摂取および排出の情報が検索される。従って、一部の実施形態では、グラフィカルユーザーインターフェース１４２は、患者の摂取および排出情報をベッド１０のメモリー１７６に入力するために使用され、次に、例えばベッド１０はその情報を患者の電子医療記録に保存するためにリモートコンピューター１７６に送る。他の実施形態では、グラフィカルユーザーインターフェース１４２は、リモートコンピューター１７６から摂取または排出の情報を請求または引き出して表示するために使用される。スクリーン５００は、容量単位をミリリットル（ｍｌ）と立方センチメートル（ｃｃ）の間で切り替えるためのｍｌ／ｃｃボタンまたはアイコン５１６をさらに含む。
【００９８】
図４３を参照すると、雑機能スクリーン５２０は、図４４〜４８のスクリーンをナビゲートするために選択するアイコンまたはボタンを含み、これは以下でさらに考察する。スクリーン５２０にナビゲートするには、一部の実施形態では、ユーザーがアイコン４９４を使って、雑機能または他の機能ボタンまたはアイコン（非表示）がグラフィカルユーザーインターフェース１４２上に表示されるまでスクロールし、そのボタンを選択すると、スクリーン５２０が表示される。スクリーン５２０は、巡回チェックリストボタンまたはアイコン５２２、手順アイコンまたはボタン５２４、サービスアイコンまたはボタン５２６、ＥＭＲダッシュボードボタンまたはアイコン５２８、およびネットワーク／患者関連ボタンまたはアイコン５３０を含む。
【００９９】
スクリーン５２０上のボタン５２２を選択すると、例えば図４４に示されるように、巡回チェックリストスクリーン５３０がグラフィカルユーザーインターフェース１４２上に表示される。スクリーン５３０は、関連する患者に関して介護者が行うべき仕事または機能のリストを有する。例証的実例では、巡回リストは以下の仕事または機能を含む：サイドレールを上げる、ブレーキをセットする、病院用ベッドの上部フレームを最も低い位置にする、仰角３０°以上の位置に病院用ベッドの頭部分を上げる、トイレへの経路に障害物がないことを確認する、常夜灯が点いていることを確認する、ベッド退出システムをセットする、患者の痛みのレベルを評価する、娯楽機器またはナースコールのコントロールが患者の手の届く範囲内にあることを確認する、患者のバイタルサインをチェックする、ＩＶポンプバッグまたは排液容器を交換または空にする必要があるかどうかをチェックする、患者の体位を変える、部屋の中につまずく危険性がないことを確認する、包帯をチェックまたは交換する、患者が飲料水を必要としているかどうかをチェックする、および患者がトイレに行く必要があるかどうかをチェックする。
【０１００】
介護者が仕事または機能を完了した際に選択するために、チェックボックス５３２がスクリーン５３０上に提供されている。例証的実例では、巡回チェックリストの上の最初の２つの仕事は完了しているが、残りの仕事および機能はまだ完了していない。グラフィカルユーザーインターフェース１４２上に巡回チェックリストを提供することにより、介護者はチェックリスト上の完了した仕事またはアイテムをチェックして消すことができる。当然のことながら、異なる病院は異なる巡回チェックリストを有する。従って、スクリーン５３０上に提供された仕事および機能が特定の医療施設に対してカスタマイズされるべきことは、本開示の範囲内である。このような種類のチェックリスト上の仕事またはアイテムの別の例には、ベッドパンまたは尿ボトルの交換を含む。
【０１０１】
スクリーン５２０上のボタン５２４を選択すると、例えば図４５に示されるように、手順スクリーン５４０がグラフィカルユーザーインターフェース１４２上に表示される。スクリーン５４０は、関連する手順のステップについてのリストを閲覧するために選択できる、多くの手順タブ５４２を有する。スクリーン５４０の例証的実例では、タブ５４２は一般的に手順１、手順２、手順３、手順４に関連するものとして示されている。実際の実行では、タブ５４２の言い回しは、関連手順をさらに説明するために編集される。このような編集は、キーパッドを用いて、または、無線連結装置を含む適切なポートまたは連結器を介してベッド１０の制御回路９８とインターフェース接続するラップトップや他のコンピューターなどの他の管理ツールを用いて行われる。
【０１０２】
例証的実例では、手順３が選択されており、ビデオリンクボタンまたはアイコン５４４の一式が、スクリーン５４０のステップについてのリストの各ステップに隣接して設けられている。特定のアイコン５４４を選択すると、介護者はその手順の関連ステップのビデオを見ることができる。グラフィカルユーザーインターフェース１４２上でビデオが再生され、ビデオが終わるとスクリーン５４０がインターフェース１４２上に自動的に再表示される。一部の実施形態では、インターフェース１４２上で再生されるビデオは、対応するボタン５４４の選択に対応してリモートコンピューター１７６から検索される。従って、ベッド１０のグラフィカルユーザーインターフェース１４２は、グラフィカルユーザーインターフェース１４２上で手順の少なくとも一部を示すビデオクリップとリンクするために使用されることを、本開示では意図する。スクリーン５４０は、介護者が関連する手順のステップが完了した時に選択するために、各ステップに隣接してチェックボックス５４６を有する。
【０１０３】
スクリーン５２０上のボタン５２６を選択すると、例えば図４６に示されるように、サービススクリーン５５０がグラフィカルユーザーインターフェース１４２上に表示される。サービススクリーン５５０は、その医療環境で利用可能な他のサービスに関連したサービスボタンまたはアイコン一式を有する。従って、グラフィカルユーザーインターフェース１４２は、介護者および／または患者に、ベッドサイドまたはケア現場で完全かつさまざまなサービスへのアクセスを提供することができる。これらのサービスの一部としては、病院情報技術（ＩＴ）アクセス関連（例えば、ＥＭＲ、薬剤、食品サービス、周辺制御、部屋コントロール）、製品サービスおよびメンテナンス関連、ベッド機能関連、および娯楽関連（例えば、テレビ制御、ラジオ制御、ウェブブラウジング）のものがある。ＨＩＰＡＡに準拠し、患者に近接しかつ用途に対して最適化された確認済み使用環境において、ベッド１０上のグラフィカルユーザーインターフェース１４２を使用して、カルテ記入に関する患者の医療ニーズ、食事および栄養素のニーズ、統計報告および／またはトレンディング、薬剤または処方箋、および他の活動を実行することができる。
【０１０４】
例証的実例では、図４６に示されるように、スクリーン５５０はベッドセットボタンまたはアイコン５５２、理学療法アイコンまたはボタン５５４、液体管理ボタンまたはアイコン５５６、食事ボタンまたはアイコン５５８、部屋アイコンまたはボタン５６０、カルテアイコンまたはボタン５６２、患者の移動ボタンまたはアイコン５６４、薬剤ボタンまたはアイコン５６６、および娯楽ボタンまたはアイコン５６８を有する。ベッドセットボタン５５２を選択すると、次の患者に対してベッド１０のセットアップができていることを示すために、ベッド１０からリモートコンピューター１７６（例えば、病室掃除のスケジュール設定に関連したコンピューター）に信号が送られる。理学療法ボタン５５４を選択すると、関連する患者の理学療法スケジュールなどの理学療法についての情報がグラフィカルユーザーインターフェース１４２上に表示される。一部の実施形態では、グラフィカルユーザーインターフェース１４２は、患者の１つ以上の理学療法セッションに対する時間をセットアップまたは変更するために使用するアイコンまたはボタンを表示する。ボタン５５４を選択すると、医療施設の理学療法部門に関連したリモートコンピューター１７６との通信が確立される。
【０１０５】
スクリーン５５０上の液体管理ボタン５５６を選択すると、グラフィカルユーザーインターフェース１４２上に液体管理についての情報が表示される。例えば、インターフェース１４２は、新しいＩＶ液体容器が必要であること、および／または新しいフォーリー袋が必要であることを示すため、および／または患者がさらにジュースまたは水を必要としていることを示すために選択するボタンまたはアイコンを有する。一部の実施形態では、このような要求は、ベッド１０からマスターナースステーションのリモートコンピューター１７６に伝達される。食事ボタン５５８を選択すると、グラフィカルユーザーインターフェース１４２上に食事情報が表示される。例えば、一部の実施形態では、インターフェース１４２は、患者の次回の食事またはおやつの食物および／または飲物を選択するためのボタンまたはアイコンを有する。一部の実施形態では、このような食物および／または飲物の選択のオプションは、医療施設の食品サービス部門に関連したリモートコンピューター１７６からベッド１０に伝達され、食品および／または飲物の選択結果は、ベッド１０から食品サービス部門のリモートコンピューター１７６に伝達される。
【０１０６】
スクリーン５５０上の部屋ボタン５６０を選択すると、グラフィカルユーザーインターフェース１４２上に部屋環境コントロールが表示される。このような部屋コントロールには、部屋の照明および／または室温を制御するために使用するボタンまたはアイコンを含む。娯楽ボタン５６８を選択すると、グラフィカルユーザーインターフェース１４２上に娯楽コントロールが表示される。このような娯楽コントロールは、患者の室内にあるまたはベッド１０の一部として含まれているテレビおよび／またはラジオを制御するために使用するボタンまたはアイコンを含む。従って、娯楽コントロールは、チャンネル選択および音量調節アイコンまたはボタンを含む。
【０１０７】
薬剤アイコン５６６を選択すると、関連する患者の予定された医薬品などの薬剤情報が、グラフィカルユーザーインターフェース１４２上に表示される。一部の実施形態では、グラフィカルユーザーインターフェース１４２には、患者用の医薬品を追加で請求するために使用するアイコンまたはボタンを表示される。ボタン５６６を選択すると、医療施設の薬局部門に関連したリモートコンピューター１７６との通信が確立される。一部の実施形態では、薬剤情報は、医療施設の薬局部門に関連するリモートコンピューター１７６からベッド１０に伝達され、ベッド１０のグラフィカルユーザーインターフェース１４２を介して行われる薬剤請求は、ベッド１０から薬局部門のリモートコンピューター１７６に伝達される。
【０１０８】
患者の移動ボタン５６４を選択すると、ベッド１０からリモートコンピューター１７６（例えば、病棟勤務員および／または輸送スケジューリングに関連したコンピューター）に信号が送られ、関連する患者を例えばベッド１０からストレッチャーまたは椅子などに移動する必要があることが示される。カルテボタン５６２を選択すると、例えば図４７に示されるように、カルテスクリーン５７０がグラフィカルユーザーインターフェース１４２上に表示される。カルテスクリーンは、患者の電子医療記録で利用可能なデータ一式を閲覧するために選択することのできるカルテボタンまたはアイコンを有する。例証的実例では、スクリーン５７０は、バイタルボタンまたはアイコン５７２、ステータスアイコンまたはボタン５７４、プロファイルアイコンまたはボタン５７６、レポートボタンまたはアイコン５７８、およびトレンドアイコンまたはボタン５８０を含む。
【０１０９】
スクリーン５５０上のバイタルボタン５７２を選択すると、関連する患者のバイタルサイン情報がグラフィカルユーザーインターフェース１４２上に表示される。一部の実施形態では、バイタルサイン情報は患者の電子医療記録から検索されるが、ベッド１０のグラフィカルユーザーインターフェース上ではバイタルサイン情報を編集または入力することはできない。他の実施形態では、ボタン５７２を選択すると、患者のバイタルサインをベッド１０を介して電子医療記録に入力するために、図１３のスクリーン２９４と実質的に類似したまたは同一のスクリーンがインターフェース１４２上に表示される。
【０１１０】
スクリーン５７０上のステータスボタン５７４を選択すると、関連する患者のステータス情報がグラフィカルユーザーインターフェース１４２上に表示される。一部の実施形態では、ステータス情報は患者の電子医療記録から検索されるが、ベッド１０のグラフィカルユーザーインターフェース上ではステータス情報を編集または入力することはできない。他の実施形態では、ボタン５７４を選択すると、患者のステータス情報をベッド１０を介して電子医療記録に入力するために、スクリーンがインターフェース１４２上に表示される。スクリーン５７０上のプロファイルボタン５７６を選択すると、関連する患者のプロファイル情報がグラフィカルユーザーインターフェース１４２上に表示される。一部の実施形態では、プロファイル情報は患者の電子医療記録から検索されるが、ベッド１０のグラフィカルユーザーインターフェース上ではプロファイル情報を編集または入力することはできない。他の実施形態では、ボタン５７６を選択すると、患者のプロファイル情報をベッド１０を介して電子医療記録に入力するために、スクリーンがインターフェース１４２上に表示される。
【０１１１】
レポートボタン５７８を選択すると、関連する患者の医療レポート情報がグラフィカルユーザーインターフェース１４２上に表示される。一部の実施形態では、医療レポート情報は患者の電子医療記録から検索されるが、ベッド１０のグラフィカルユーザーインターフェース上ではレポート情報を編集または入力することはできない。他の実施形態では、ボタン５７８を選択すると、患者の医療レポート情報をベッド１０を介して電子医療記録に入力するために、スクリーンがインターフェース１４２上に表示される。トレンドアイコン５８０を選択すると、関連する患者のトレンディング情報履歴がグラフィカルユーザーインターフェース１４２上に表示される。図２１のスクリーン３３０は、アイコン５８０を選択することに対応して、インターフェース１４２上に表示されるトレンディング情報のタイプの例である。
【０１１２】
次に図４８を参照すると、雑機能スクリーン５２０上のネットワーク／患者関連アイコン５３０を選択することに対応してグラフィカルユーザーインターフェース上に表示されるネットワーク／患者関連スクリーン５９０が示されている。スクリーン５９０は、ネットワーク接続性についての情報を提供する第一の文字ブロック５９２、および対応するベッド１０に関連付けるべき可能性のある患者についての情報を提供する第二の文字ブロック５９４を有する。ベッド１０が１つ以上のネットワークと通信できる場合は、複数の利用可能なネットワークについての情報が文字ブロック５９２に表示され、ユーザーは次に、ベッド１０がどの利用可能なネットワークを通信のために使用すべきかを選択する。さらに、文字ブロック５９４は、ベッド１０と関連付けられている可能性のある患者のリストを有する。この場合、ユーザーは、ベッド１０と関連付ける適切な患者を、患者リストから選択する。本開示によると、可能性のある患者のリストは、プログラムされたロジックを介して患者の性別、体重などに基づいて作成される。例えば、ベッド１０の体重測定スケールシステムが患者の体重を２５０ポンドと感知した場合、これと類似の体重（例えば、１０または２０％などの許容差範囲内）を持つ患者のリストが文字ブロック５９４に表示され得る。一部の実施形態では、文字ブロック５９４に表示される可能性のある患者のリストをフィルターにかけるために、例えば身長、指紋、網膜スキャンなどの他のバイオメトリックデータを使用し得る。このような実施形態では、ベッド１０は、患者のバイオメトリック情報を感知するための適切なセンサー（例えば、指紋リーダーまたは網膜スキャナー）を含む。介護者が、患者と病院用ベッド１０の関連付けを承認するために、グラフィカルユーザーインターフェース１４２上には、承認ボタンまたはアイコン５９６が設けられている。
【０１１３】
本開示の範囲内の追加的概念および機能には以下を含む。
【０１１４】
介護者が検索表に表示される患者のリストからベッド１０に割り当てられた患者を選択できるようにするために、または、リモートコンピューターなど他の場所で行われた患者とベッドの関連付けが正しいことをベッドサイドで確認できるようにするために、グラフィカルユーザーインターフェース１４２上で患者名の検索表を提供することが本開示で意図されている。患者に関するメニューは、一部の実施例ではＡＤＴシステムから引き出される。一部の実施形態では、メニューは、フィルターすることができるか、またはフィルターされている。例えば、男性／女性の選択および／または人種の選択をインターフェース１４２上で行うことができ、次には選択に応じて、選択された人種の男性または女性の名前のみがメニューにリストされる。医師と患者、介護者と患者、およびベッドと部屋の関連付けを設定または確認するための追加的な検索表の提供。ベッドが無線で通信する場合、ベッドと部屋の関連付けを設定するために可能な部屋の選択メニューが、ベッド上またはベッドの外どちらかの１つ以上の無線受信機によって感知された信号強度に基づいてフィルターされる。一部の実施形態では、介護者はベッド１０のグラフィカルユーザーインターフェース上に部屋番号を単にタイプする。
【０１１５】
一部の実施例では、介護者に、患者とベッド、介護者とベッド、ベッドと部屋、および医師と患者の関連付けを確認または編集することを促すために、グラフィカルユーザーインターフェース１４２のメッセージが既定時間に表示される。既定時間は、例えばシフト交代に対応し得る。イベントも、さまざまな関連付けを確認または編集するように介護者に促し得る。例えば、ベッドのコンセントを抜き、閾値時間が経過した後に再びコンセントを入れた場合（ベッドを移動した場合などに起こる）、介護者はグラフィカルユーザーインターフェース１４２上で関連付けを確認または編集するように促される。一部の実施形態では、ベッドのコンセントが例えば１５秒または３０秒など短時間抜かれた場合は、関連付けの再確認はスキップされる。
【０１１６】
一部の実施形態では、ベッド１０は、ブレーデンスコア、転倒リスクスコア、修正済み早期警告スコア（ＭＥＷＳ）などのさまざまな患者スコアを受信し、そのスコアをインターフェース１４２上に表示する。一部の実施形態では、ベッド１０は患者のバイタルサイン情報をＥＭＲシステム１７６から受信し、データをインターフェース１４２上に表示する。一部の実施形態では、ベッド１０の特徴および機能は、１つ以上のスコアおよび／またはＥＭＲシステム１７６から受信したバイタルサインデータに基づいて、特定の様式に構成される。
【０１１７】
グラフィカルユーザーインターフェース１４２上への標準治療（ＳｏＣ）チェックリストの提供は、本開示で意図されている。例えば、患者に転倒リスクがある場合、患者は赤い靴下を履き、患者は赤い毛布を持ち、患者のドアに星印が付けられているべきである。ＳｏＣの各アイテムは、介護者がマニュアル確認をするために、インターフェース１４２上にリストすることができる。一部の実施形態では、ＳｏＣはイベントに基づいて変化する。例えば、ベッドがリモートコンピューターまたは室内装置から、または手入力を介して、患者がモルヒネ点滴を開始したというデータを受信した場合、ＳｏＣプロトコールは低転倒リスクから高転倒リスクに切り替わり、対応するＳｏＣチェックリストがグラフィカルユーザーインターフェース１４２上に表示される。
【０１１８】
グラフィカルユーザーインターフェース１４２上で、回答または選択すべき一連の質問などの皮膚評価ツールを提供することは、本開示で意図されている。
【０１１９】
リモートＥＭＲコンピューターで行うのと同じ様式で、ベッドにおいてデータを患者のＥＭＲに入力するため、ベッド１０のグラフィカルユーザーインターフェース１４２でＥＭＲコンピュータースクリーンを模倣または複製することが、本開示で意図されている。
【０１２０】
患者の検査結果をグラフィカルユーザーインターフェース１４２上に表示することは、本開示で意図されている。
【０１２１】
患者の身長および／または体重をＥＭＲシステム１７６からインポートすること、または患者の身長をグラフィカルユーザーインターフェース１４２上で入力すること、ベッド１０に患者の肥満度指数（ＢＭＩ）を計算させること、および、ＢＭＩをグラフィカルユーザーインターフェース１４２上に表示させること、これらはすべて本開示の範囲内である。
【０１２２】
Ｐｉｘｉｓシステムなどの薬剤送達システムとのリンクを確立すること、および、患者の薬剤についての情報をグラフィカルユーザーインターフェース１４２上に表示すること、これらは本開示の範囲内である。
【０１２３】
介護者が患者の部屋を出る前にチェックリスト上のアイテムを完了したことをモニターするために、巡回チェックリストと併せて場所特定およびトラッキングシステムを使用することも、本開示で意図されている。
【０１２４】
本明細書で考察したものと同じスクリーンおよび機能を持ち、インターフェース１４２と類似しているがベッド１０から分離しているグラフィカルユーザーインターフェースの提供は、本開示の範囲内である。この分離ユーザーインターフェースは、一部の実施形態では壁掛け式であり、一部の実施形態ではナースコールシステムのグラフィカルオーディオステーションの一部として含まれている。
【０１２５】
一定の例証的な実施形態について上記に詳細に説明してきたが、本明細書に記述され下記の請求項で定義される本開示の範囲および骨子の内である多くの実施形態、変形および変更が可能である。
【図１】
0006012949.tif 000002
【図２】
0006012949.tif 000003
【図３】
0006012949.tif 000004
【図４】
0006012949.tif 000005
【図５】
0006012949.tif 000006
【図６】
0006012949.tif 000007
【図７】
0006012949.tif 000008
【図８】
0006012949.tif 000009
【図９】
0006012949.tif 000010
【図１０】
0006012949.tif 000011
【図１１】
0006012949.tif 000012
【図１２】
0006012949.tif 000013
【図１３】
0006012949.tif 000014
【図１４】
0006012949.tif 000015
【図１５】
0006012949.tif 000016
【図１６】
0006012949.tif 000017
【図１７】
0006012949.tif 000018
【図１８】
0006012949.tif 000019
【図１９】
0006012949.tif 000020
【図２０】
0006012949.tif 000021
【図２１】
0006012949.tif 000022
【図２２】
0006012949.tif 000023
【図２３】
0006012949.tif 000024
【図２４】
0006012949.tif 000025
【図２５】
0006012949.tif 000026
【図２６】
0006012949.tif 000027
【図２７】
0006012949.tif 000028
【図２８】
0006012949.tif 000029
【図２９】
0006012949.tif 000030
【図３０】
0006012949.tif 000031
【図３１】
0006012949.tif 000032
【図３２】
0006012949.tif 000033
【図３３】
0006012949.tif 000034
【図３４】
0006012949.tif 000035
【図３５】
0006012949.tif 000036
【図３６】
0006012949.tif 000037
【図３７】
0006012949.tif 000038
【図３８】
0006012949.tif 000039
【図３９】
0006012949.tif 000040
【図４０】
0006012949.tif 000041
【図４１】
0006012949.tif 000042
【図４２】
0006012949.tif 000043
【図４３】
0006012949.tif 000044
【図４４】
0006012949.tif 000045
【図４５】
0006012949.tif 000046
【図４６】
0006012949.tif 000047
【図４７】
0006012949.tif 000048
【図４８】
0006012949.tif 000049